(57)【特許請求の範囲】
【請求項１】
ユーザ装置ＵＥのための方法であって、
ネットワーク側装置からの設定情報を受信するステップであって、前記設定情報はセルリストを含む、ステップと、
前記設定情報に従って中間状態に入るステップであって、前記ＵＥは前記中間状態の間においてコンテキスト情報を記憶しており、前記ＵＥの前記コンテキスト情報は前記ＵＥの識別子を含む、ステップと、
前記セルリストに含まれるセルの中でネットワーク側装置に通知することなくセル再選択を行う、ステップと
を含むことを特徴とする方法。
【請求項２】
前記ＵＥによってネットワーク側装置へのＲＲＣ接続を確立し、前記ＵＥによってネットワーク側装置から設定情報を受信する前記ステップの前にＲＲＣ接続状態に入るステップ
をさらに含むことを特徴とする請求項１に記載の方法。
【請求項３】
前記設定情報は無線リソース制御ＲＲＣメッセージにおいて搬送され、前記ＲＲＣメッセージはＲＲＣ接続開放メッセージを含む
ことを特徴とする請求項１または２に記載の方法。
【請求項４】
前記ＵＥが前記セルリストに含まれる前記セルの外側に移動する場合に、
前記ＵＥが前記ネットワーク側装置へ通知メッセージを送信して、前記ＵＥが中間状態から接続状態に復元されるか、またはアイドル状態に戻る
ことを特徴とする請求項１ないし３のいずれか１項に記載の方法。
【請求項５】
前記ＵＥの前記識別子は、セル無線ネットワークテンポラリ識別Ｃ−ＲＮＴＩである
ことを特徴とする請求項１ないし４のいずれか１項に記載の方法。
【請求項６】
前記ＵＥの前記コンテキスト情報はさらに、
前記ＵＥの無線ベアラ設定情報、
前記ＵＥの媒体アクセス制御ＭＡＣ層設定パラメータ、
前記ＵＥの物理層パラメータ設定、
前記ＵＥのセキュリティ関連パラメータ、
の１つまたは複数を含む
ことを特徴とする請求項１ないし５のいずれか１項に記載の方法。
【請求項７】
前記設定情報は、前記ネットワーク側装置が前記ＵＥに前記中間状態に入るように命令する際の条件を含む
ことを特徴とする請求項１ないし６のいずれか１項に記載の方法。
【請求項８】
前記条件は、前記ＵＥが前記中間状態に即座に入ることである
ことを特徴とする請求項７に記載の方法。
【請求項９】
前記ＵＥがネットワーク側へアップリンクデータを送信する必要がある、および／または、前記ネットワーク側からダウンリンクデータを受信する必要がある場合にさらに、
前記ＵＥを接続状態に復元するステップと、
前記ＵＥによって、接続状態に復元されたネットワーク側装置へアップリンクデータを送信するステップ、および／または、接続状態に復元された前記ネットワーク側装置からダウンリンクデータを受信するステップを含み、接続状態に復元された前記ネットワーク側装置は第１のネットワーク側装置または第２のネットワーク側装置を備える
ことを特徴とする請求項１ないし８のいずれか１項に記載の方法。
【請求項１０】
前記設定情報は、前記設定情報に従って前記ネットワーク側装置が前記ＵＥに中間状態に入るように命令する期間、および／または、前記設定情報に従って前記期間中に前記ＵＥが前記中間状態に入った後に行われる動作命令を含む
ことを特徴とする請求項１ないし９のいずれか１項に記載の方法。
【請求項１１】
前記ＵＥがセル再選択基準に基づいてセル再選択を実行する
ことを特徴とする請求項１ないし１０のいずれか１項に記載の方法。
【請求項１２】
前記ＵＥが配置されるサービングセルのシステム報知メッセージにより取得されたセル再選択パラメータに基づいて前記ＵＥがセル再選択を実行する
ことを特徴とする請求項１ないし１１のいずれか１項に記載の方法。
【請求項１３】
前記セル再選択パラメータは、前記ネットワーク側装置により送信される前記設定情報において搬送される
ことを特徴とする請求項１２に記載の方法。
【請求項１４】
前記設定情報は前記ＵＥに前記中間状態に入るように命令する情報をさらに含む
ことを特徴とする請求項１ないし１３のいずれか１項に記載の方法。
【請求項１５】
シグナリング方法であって、
ネットワーク側装置によってユーザ装置ＵＥへ設定情報を送信するステップであって、前記ＵＥは前記設定情報に従って中間状態に入り、前記中間状態の間においてコンテキスト情報が記憶されており、前記設定情報はセルリストを含み、前記セルリストは前記ＵＥが前記セルリストに含まれるセルの中に移動した場合に、前記ＵＥが前記ネットワーク側装置に通知することなくセル再選択を行うことを示すために用いられる、ステップと、
前記ネットワーク側装置によって、前記ＵＥのコンテキスト情報を記憶するステップと、
を含むことを特徴とする方法。
【請求項１６】
前記セルリストは、前記ＵＥが前記セルリストに含まれるセルの外側に移動した場合に、前記ネットワーク側装置に通知することを示すためにも用いられる
ことを特徴とする請求項１５に記載の方法。
【請求項１７】
前記設定情報は無線リソース制御ＲＲＣメッセージにおいて搬送され、前記ＲＲＣメッセージはＲＲＣ接続開放メッセージを含む
ことを特徴とする請求項１５または１６に記載の方法。
【請求項１８】
前記ネットワーク側装置によって前記ＵＥのコンテキスト情報を前記セルリストにあるネットワーク側装置に送信するステップをさらに含む
ことを特徴とする請求項１５または１６に記載の方法。
【請求項１９】
前記ネットワーク側装置によって前記ＵＥに前記設定情報を送信する前記ステップの前に、前記ネットワーク側装置によって前記ＵＥへのＲＲＣ接続を確立するステップをさらに含む
ことを特徴とする請求項１５または１６に記載の方法。
【請求項２０】
前記ＵＥの識別子は、セル無線ネットワークテンポラリ識別Ｃ−ＲＮＴＩである
ことを特徴とする請求項１５または１６に記載の方法。
【請求項２１】
前記ＵＥの前記コンテキスト情報はさらに、
前記ＵＥの無線ベアラ設定情報、
前記ＵＥの媒体アクセス制御ＭＡＣ層設定パラメータ、
前記ＵＥの物理層パラメータ設定、
前記ＵＥのセキュリティ関連パラメータ、
の１つまたは複数を含む
ことを特徴とする請求項１５または１６に記載の方法。
【請求項２２】
前記設定情報は、前記ネットワーク側装置が前記ＵＥに中間状態に入るように命令する際の条件を含む
ことを特徴とする請求項１５または１６に記載の方法。
【請求項２３】
前記条件は、前記ＵＥが前記中間状態に即座に入ることである
ことを特徴とする請求項２２に記載の方法。
【請求項２４】
前記ネットワーク側装置によって、接続状態に復元された前記ＵＥからのアップリンクデータを受信するステップ、および／または、
接続状態に復元された前記ネットワーク側装置によって、ダウンリンクデータを送信するステップをさらに含み、
接続状態に復元された前記ネットワーク側装置は第１のネットワーク側装置または第２のネットワーク側装置を含む
ことを特徴とする請求項１５または１６に記載の方法。
【請求項２５】
前記設定情報は、前記設定情報に従って前記ネットワーク側装置が前記ＵＥに中間状態に入るように命令する期間、および／または、前記設定情報に従って前記期間中に前記ＵＥが前記中間状態に入った後に行われる動作命令を含む
ことを特徴とする請求項１５または１６に記載の方法。
【請求項２６】
前記ＵＥが配置されるサービングセルのシステム報知メッセージにより取得されたセル再選択パラメータを送信するステップをさらに含む
ことを特徴とする請求項１５または１６に記載の方法。
【請求項２７】
前記セル再選択パラメータは前記設定情報において搬送される
ことを特徴とする請求項２６に記載の方法。
【請求項２８】
前記設定情報は前記ＵＥに中間状態に入るように命令する情報をさらに含む
ことを特徴とする請求項１５または１６に記載の方法。
【請求項２９】
請求項１ないし１４のいずれか１項に記載の方法を実行するように構成された装置。
【請求項３０】
請求項１５ないし２８のいずれか１項に記載の方法を実行するように構成された装置。
【請求項３１】
プロセッサにより実行されたときに請求項１ないし１４のいずれか１項に記載の方法がプロセッサにより実行される、プログラムを記録したコンピュータ可読記録媒体。
【請求項３２】
プロセッサにより実行されたときに請求項１５ないし２８のいずれか１項に記載の方法がプロセッサにより実行される、プログラムを記録したコンピュータ可読記録媒体。
【請求項３３】
請求項２９に記載の装置、請求項３０に記載の装置、請求項３１に記載のコンピュータ可読記録媒体、または請求項３２に記載のコンピュータ可読記録媒体の
１または任意の組み合わせを含む通信システム。
【発明の詳細な説明】
【技術分野】
【０００１】
本発明は、通信分野に関し、特に、シグナリング最適化の方法および装置に関する。
【背景技術】
【０００２】
ロングタームエボリューション（Ｌｏｎｇ  Ｔｅｒｍ  Ｅｖｏｌｕｔｉｏｎ、ＬＴＥ）は、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）の組織によって策定されたユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）の発展型である。ＬＴＥシステムにおいては、パケットドメインが存在する。図１に示されるように、パケットドメインは、２つのネットワーク要素、すなわち、発展型パケットコア（Ｅｖｏｌｖｅｄ  Ｐａｃｋｅｔ  Ｃｏｒｅ、ＥＰＣ）および発展型ＮｏｄｅＢ（Ｅｖｏｌｖｅｄ  ＮｏｄｅＢ、ｅＮｏｄｅＢ）を含む。ＥＰＣは、コアネットワーク部分に関与する。モビリティ管理エンティティ（Ｍｏｂｉｌｉｔｙ  Ｍａｎａｇｅｍｅｎｔ  Ｅｎｔｉｔｙ、ＭＭＥ）がシグナリング処理部分に関与し、サービングゲートウェイ（Ｓｅｒｖｉｎｇ  Ｇａｔｅｗａｙ、Ｓ−ＧＷ）がデータ処理部分に関与する。ｅＮｏｄｅＢは、発展型ＵＴＲＡＮ（Ｅｖｏｌｖｅｄ  ＵＴＲＡＮ、Ｅ−ＵＴＲＡＮ）とも称されるアクセスネットワークの部分に関与する。
【０００３】
前述のネットワークアーキテクチャでは、ユーザ装置（Ｕｓｅｒ  Ｅｑｕｉｐｍｅｎｔ、ＵＥ）が、通信サービスを開始してユーザプレーンデータを送信するとき、ユーザ装置は、ネットワーク側への無線リソース制御（Ｒａｄｉｏ  Ｒｅｓｏｕｒｃｅ  Ｃｏｎｔｒｏｌ、ＲＲＣ）接続を最初に確立する必要がある。すなわち、ユーザ装置は、アクセスネットワークへの接続を開始し、また、コアネットワークへの接続を開始する。したがって、ＵＥは、アイドル状態から接続状態へ切り替え、データベアラをさらに確立してデータを送信する。ＵＥが接続状態にあるとき、ＵＥが移動する場合にセルハンドオーバが発生することがある。ＵＥがデータ伝送を行わないときは、ＲＲＣ接続解放プロセスが実行され得る。したがって、ＵＥがアイドル状態に戻る。ＵＥが再度データ伝送を行う必要があるとき、アクセスネットワークへのＲＲＣ接続とコアネットワークへのＲＲＣ接続とを確立するプロセス、データベアラを確立するプロセス、などが次に行われる。この場合、アイドル状態にあるＵＥが、データを伝送する必要がある場合、ＵＥは、ＲＲＣ接続とデータベアラとを最初に確立する必要がある。それ故、ＵＥのシグナリングオーバーヘッドおよびデータ伝送遅延が、増大される。しかし、ＵＥが接続状態にあり続ける場合、ＵＥの移動によって引き起こされるＵＥのセルハンドオーバが、シグナリングオーバーヘッドおよびＵＥの電力消費を増大させる。
【発明の概要】
【０００４】
本発明の実施形態は、シグナリング最適化の方法および装置を提供し、ＵＥがネットワーク側にアクセスする際の、重いシグナリングオーバーヘッドおよび長いデータ伝送遅延という従来技術の問題を解決する。
【０００５】
第１の態様によると、
第１のネットワーク側装置によって送信される設定情報を、ユーザ装置ＵＥにより受信するステップであって、設定情報はリストを含み、リストはセルリストまたは基地局リストである、ステップと、
設定情報に従って、ＵＥにより中間状態に入るステップであって、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する、ステップと
を含むシグナリング最適化の方法が提供される。
【０００６】
第１の態様を参照すると、第１の態様の第１の可能な実装において、中間状態とは、ＵＥのセル移動範囲が、リストに含まれるセルまたは基地局のカバレッジ領域外にある場合に、ＵＥが、ＵＥの現在のサービングセルが配置されるネットワーク側装置へ通知メッセージを送信して、ＵＥが、中間状態から接続状態に復元されるか、またはアイドル状態に戻り、かつ、現在のサービングセルが配置されるネットワーク側装置が、第１のネットワーク側装置、またはＵＥがセル再選択を行った後の第２のネットワーク側装置となるようにすることをさらに意味する。
【０００７】
第１の態様または第１の態様の第１の可能な実装を参照すると、第１の態様の第２の可能な実装において、設定情報は、第１のネットワーク側装置が、ＵＥに、設定情報に従って中間状態に入るように命令する際の条件をさらに含み、条件は、直ちに中間状態に入ること、または予めセットした時間の後にアイドル状態に入ることを含み、および／または
設定情報は、第１のネットワーク側装置が、ＵＥに、設定情報に従って中間状態に入るように命令する期間、および／または、ＵＥが、期間中に設定情報に従って中間状態に入った後に、行われる動作命令をさらに含み、動作命令は、ＵＥにアイドル状態に入るように命令する、および／または、ＵＥに、第１のネットワーク側装置にＵＥの現在位置情報を通知するように命令する、ために使用される。
【０００８】
第１の態様から第１の態様の第２の可能な実装までを参照すると、第１の態様の第３の可能な実装において、設定情報は、セル再選択をＵＥにより行うためのセル再選択パラメータをさらに含む。
【０００９】
第１の態様から第１の態様の第３の可能な実装までを参照すると、第１の態様の第４の可能な実装において、設定情報は、第１のネットワーク側装置により無線リソース制御ＲＲＣメッセージで搬送され、ＲＲＣメッセージは、ＲＲＣ接続確立メッセージ、ＲＲＣ再設定メッセージ、またはＲＲＣ接続解放メッセージを含む。
【００１０】
第１の態様から第１の態様の第４の可能な実装までを参照すると、第１の態様の第５の可能な実装において、ＵＥがセル再選択を行うプロセスにおいて、ＵＥがネットワーク側へアップリンクデータを送信する必要がある、および／または、ネットワーク側からダウンリンクデータを受信する必要があるという判定がなされるとき、方法は、
ＵＥを接続状態に復元するステップと、
接続状態に復元されたネットワーク側装置へ、アップリンクデータを、ＵＥにより送信するステップ、および／または、接続状態に復元されたネットワーク側装置から、ダウンリンクデータを受信するステップであって、接続状態に復元されたネットワーク側装置は、第１のネットワーク側装置または第２のネットワーク側装置を備える、ステップと
をさらに含む。
【００１１】
第１の態様の第５の可能な実装を参照すると、第１の態様の第６の可能な実装において、ＵＥを接続状態に復元するステップは、
ＵＥのセルが変化しない場合、第１のネットワーク側装置へ、スケジューリング要求またはランダムアクセス要求をＵＥにより送信して、ＵＥを接続状態に復元するステップを含む。
【００１２】
第１の態様の第５の可能な実装を参照すると、第１の態様の第７の可能な実装において、ＵＥを接続状態に復元するステップは、
第１のネットワーク側装置または第２のネットワーク側装置へ、ＲＲＣ再開要求メッセージをＵＥにより送信するステップであって、ＲＲＣ再開要求メッセージは、第１のネットワーク側装置のセル情報、ＵＥのセル無線ネットワークテンポラリ識別Ｃ−ＲＮＴＩ、またはＵＥを接続状態に復元することを要求するための指示情報、のうちの少なくとも１つを含む、ステップと、
第１のネットワーク側装置または第２のネットワーク側装置によって送信されるＲＲＣ再開確認メッセージを、ＵＥにより受信するステップであって、ＲＲＣ再開確認メッセージは、ＵＥが接続状態に復元されることを示すために使用される、ステップと、
第１のネットワーク側装置または第２のネットワーク側装置へ、ＲＲＣ接続再開完了メッセージを、ＵＥにより送信するステップと
を含む。
【００１３】
第２の態様によると、
ユーザ装置ＵＥへ設定情報を、第１のネットワーク側装置により送信するステップであって、設定情報はリストを含み、リストはセルリストまたは基地局リストであり、設定情報は、ＵＥに中間状態に入るように命令するために使用され、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する、ステップと、
リスト内のネットワーク側装置へ、ＵＥのコンテキスト情報を、第１のネットワーク側装置により送信するステップと
を含むシグナリング最適化の方法が提供される。
【００１４】
第２の態様を参照すると、第２の態様の第１の可能な実装において、ＵＥが中間状態に入った後、ＵＥが移動し、かつセル移動範囲が、リストに含まれるセルまたは基地局のカバレッジ領域外にある場合に、ＵＥが、ＵＥの現在のサービングセルが配置されるネットワーク側装置へ通知メッセージを送信して、ＵＥが、中間状態から接続状態に復元されるか、またはアイドル状態に戻り、かつ、現在のサービングセルが配置されるネットワーク側装置が、第１のネットワーク側装置、またはＵＥがセル再選択を行った後の第２のネットワーク側装置となるようにすることを示すために、設定情報がさらに使用される。
【００１５】
第２の態様または第２の態様の第１の可能な実装を参照すると、第２の態様の第２の可能な実装において、設定情報は、第１のネットワーク側装置が、ＵＥに、設定情報に従って中間状態に入るように命令する際の条件をさらに含み、条件は、直ちに中間状態に入ること、または予めセットした時間の後に中間状態に入ることを含み、および／または
設定情報は、第１のネットワーク側装置が、ＵＥに、設定情報に従って中間状態に入るように命令する期間、および／または、ＵＥが、期間中に設定情報に従って中間状態に入った後に、行われる動作命令をさらに含み、動作命令は、ＵＥにアイドル状態に入るように命令する、および／または、ＵＥに、第１のネットワーク側装置にＵＥの現在位置情報を通知するように命令する、ために使用される。
【００１６】
第２の態様から第２の態様の第２の可能な実装までを参照すると、第２の態様の第３の可能な実装において、設定情報は、セル再選択をＵＥにより行うためのセル再選択パラメータをさらに含む。
【００１７】
第２の態様から第２の態様の第３の可能な実装までを参照すると、第２の態様の第４の可能な実装において、ＵＥへ設定情報を第１のネットワーク側装置により送信するステップは、
無線リソース制御ＲＲＣメッセージを使用することにより、ＵＥへ設定情報を第１のネットワーク側装置により送信するステップであって、ＲＲＣメッセージは、ＲＲＣ再設定メッセージまたはＲＲＣ接続解放メッセージを含む、ステップを含む。
【００１８】
第２の態様から第２の態様の第４の可能な実装までを参照すると、第２の態様の第５の可能な実装において、方法は、
コアネットワーク装置へ、ＵＥのコンテキスト情報を、第１のネットワーク側装置により送信するステップと、
第１のネットワーク側装置が、予めセットした時間の間、ＵＥのコンテキスト情報を記憶するときに、ＵＥのコンテキスト情報を解放するステップと
をさらに含む。
【００１９】
第２の態様から第２の態様の第５の可能な実装までを参照すると、第２の態様の第６の可能な実装において、方法は、
ＵＥによって送信されるＲＲＣ再開要求メッセージを、第１のネットワーク側装置により受信するステップであって、再開要求メッセージは、第１のネットワーク側装置のセル情報、ＵＥのセル無線ネットワークテンポラリ識別Ｃ−ＲＮＴＩ、またはＵＥを接続状態に復元することを要求するための指示情報のうちの少なくとも１つを含む、ステップと、
ＵＥへＲＲＣ再開確認メッセージを、第１のネットワーク側装置により送信するステップであって、ＲＲＣ再開確認メッセージは、第１のネットワーク側装置により、ＵＥのコンテキスト情報を拡張、削除、または修正するためのパラメータを含む、ステップと
ＵＥによって送信されるＲＲＣ接続再開完了メッセージを、第１のネットワーク側装置により受信するステップと
をさらに含む。
【００２０】
第２の態様から第２の態様の第６の可能な実装までを参照すると、第２の態様の第７の可能な実装において、方法は、
ＵＥによって送信されるアップリンクスケジューリング要求またはランダムアクセス要求を、第１のネットワーク側装置により受信するステップと、
ＵＥへアップリンクリソースを、第１のネットワーク側装置により送信するステップであって、アップリンクリソースは、第１のネットワーク側装置へアップリンクデータを送信するために、またはアップリンクリソースに従って第１のネットワーク側装置からダウンリンクデータを受信するために、ＵＥにより使用される、ステップと
をさらに含む。
【００２１】
第３の態様によると、
第１のネットワーク側装置によって送信される、中間状態にあるユーザ装置ＵＥの指示情報を、第２のネットワーク側装置により受信するステップであって、中間状態とは、ＵＥがＵＥのコンテキスト情報を記憶しているとき、もしＵＥが移動し、かつセル移動範囲が、第１のネットワーク側装置によって送信されるリストに含まれるセルまたは基地局のカバレッジ領域内にある場合に、ＵＥがリストに従ってセル再選択を行う状態を意味する、ステップと、
第１のネットワーク側装置からＵＥのコンテキスト情報を、第２のネットワーク側装置により取得し、または、第２のネットワーク側装置がＵＥによって送信される無線リソース制御ＲＲＣ再開要求メッセージを受信するときに、第２のネットワーク側装置からＵＥのコンテキスト情報を取得して、ＵＥからアップリンクデータを受信、またはＵＥへダウンリンクデータを送信するステップと
を含むシグナリング最適化の方法が提供される。
【００２２】
第３の態様を参照すると、第３の態様の第１の可能な実装において、方法は、
第１のネットワーク側装置によって送信されるＵＥのコンテキスト情報を、第２のネットワーク側装置により受信および保存するステップをさらに含む。
【００２３】
第３の態様または第３の態様の第１の可能な実装を参照すると、第３の態様の第２の可能な実装において、第１のネットワーク側装置からＵＥのコンテキスト情報を、第２のネットワーク側装置により取得し、または、第２のネットワーク側装置がＵＥによって送信される無線リソース制御ＲＲＣ再開要求メッセージを受信するときに、第２のネットワーク側装置からＵＥのコンテキスト情報を取得するステップは、
第２のネットワーク側装置が、ＵＥによって送信されるＲＲＣ再開要求メッセージを受信する前に、第２のネットワーク側装置が、ＵＥのコンテキスト情報をローカルに記憶しない場合に、第２のネットワーク側装置からＵＥのコンテキスト情報を、第２のネットワーク側装置により取得するステップ、または
第２のネットワーク側装置が、ＵＥによって送信されるＲＲＣ再開要求メッセージを受信する前に、第２のネットワーク側装置が、ＵＥのコンテキスト情報をローカルに記憶しない場合に、第１のネットワーク側装置からＵＥのコンテキスト情報を、第２のネットワーク側装置により取得するステップ
を含み、
ＲＲＣ再開要求メッセージは、ＵＥが、中間状態から接続状態に復元されるときに、第２のネットワーク側装置へ送信されるために使用される。
【００２４】
第３の態様から第３の態様の第２の可能な実装までを参照すると、第３の態様の第３の可能な実装において、方法は、
第２のネットワーク側装置が、コアネットワーク装置によって送信されるページングメッセージを受信して、ＵＥへ送信される必要があるダウンリンクデータがあると判定するとき、ＵＥへページングメッセージを送信し、第２のネットワーク側装置がＵＥへのＲＲＣ接続を確立した後に、ＵＥへ、コアネットワーク装置から受信されるダウンリンクデータを送信するステップ、または
第２のネットワーク側装置が、第１のネットワーク側装置によって送信されるページングメッセージを受信して、ＵＥへ送信される必要があるダウンリンクデータがあると判定するとき、ＵＥへページングメッセージを送信し、第２のネットワーク側装置がＵＥへのＲＲＣ接続を確立した後に、ＵＥへ、第１のネットワーク側装置から受信されるダウンリンクデータを送信するステップ
をさらに含む。
【００２５】
第４の態様によると、
ユーザ装置ＵＥによって送信される、中間状態にあるＵＥの指示情報を、コアネットワーク装置により受信するステップであって、中間状態とは、ＵＥがＵＥのコンテキスト情報を記憶しているとき、もしＵＥが移動し、かつセル移動範囲が、第１のネットワーク側装置によりＵＥへ送信されるリストに含まれるセルまたは基地局のカバレッジ領域内にある場合に、ＵＥがリストに従ってセル再選択を行う状態を意味する、ステップと、
コアネットワーク装置が、ＵＥへダウンリンクデータを伝送する必要がある場合に、リスト内の少なくとも１つのネットワーク側装置へページングメッセージを、コアネットワーク装置により送信して、少なくとも１つのネットワーク側装置における、かつＵＥに接続される、第１のネットワーク側装置または第２のネットワーク側装置を使用することにより、ＵＥへダウンリンクデータを送信するステップ、または、第１のネットワーク側装置へダウンリンクデータを、コアネットワーク装置により送信して、第１のネットワーク側装置を使用することにより、ＵＥへダウンリンクデータを送信するステップ、または、リスト内の少なくとも１つのネットワーク側装置へダウンリンクデータを、コアネットワーク装置により送信して、少なくとも１つのネットワーク側装置を使用することにより、ＵＥへダウンリンクデータを送信するステップと
を含むシグナリング最適化の方法が提供される。
【００２６】
第４の態様を参照すると、第４の態様の第１の可能な実装において、方法は、
第１のネットワーク側装置によって送信されるＵＥのコンテキスト情報を、コアネットワーク装置により受信および保存するステップをさらに含む。
【００２７】
第５の態様によると、
第１のネットワーク側装置によって送信される設定情報を受信するように構成される受信ユニットであって、設定情報はリストを含み、リストはセルリストまたは基地局リストである、受信ユニットと、
設定情報に従って中間状態に入るように構成される処理ユニットであって、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する、処理ユニットと
を備えるユーザ装置ＵＥが提供される。
【００２８】
第５の態様を参照すると、第５の態様の第１の可能な実装において、中間状態とは、ＵＥのセル移動範囲が、リストに含まれるセルまたは基地局のカバレッジ領域外にある場合に、ＵＥが、ＵＥの現在のサービングセルが配置されるネットワーク側装置へ通知メッセージを送信して、ＵＥが、中間状態から接続状態に復元されるか、またはアイドル状態に戻り、かつ、現在のサービングセルが配置されるネットワーク側装置が、第１のネットワーク側装置、またはＵＥがセル再選択を行った後の第２のネットワーク側装置となるようにすることをさらに意味する。
【００２９】
第５の態様から第５の態様の第１の可能な実装までを参照すると、第５の態様の第２の可能な実装において、設定情報は、第１のネットワーク側装置が、ＵＥに、設定情報に従って中間状態に入るように命令する際の条件をさらに含み、条件は、直ちに中間状態に入ること、または予めセットした時間の後にアイドル状態に入ることを含み、および／または
設定情報は、第１のネットワーク側装置が、ＵＥに、設定情報に従って中間状態に入るように命令する期間、および／または、ＵＥが、期間中に設定情報に従って中間状態に入った後に、行われる動作命令をさらに含み、動作命令は、ＵＥにアイドル状態に入るように命令する、および／または、ＵＥに、第１のネットワーク側装置にＵＥの現在位置情報を通知するように命令する、ために使用される。
【００３０】
第５の態様から第５の態様の第２の可能な実装までを参照すると、第５の態様の第３の可能な実装において、設定情報は、セル再選択をＵＥにより行うためのセル再選択パラメータをさらに含む。
【００３１】
第５の態様から第５の態様の第３の可能な実装までを参照すると、第５の態様の第４の可能な実装において、設定情報は、第１のネットワーク側装置により無線リソース制御ＲＲＣメッセージで搬送され、ＲＲＣメッセージは、ＲＲＣ接続確立メッセージ、ＲＲＣ再設定メッセージ、またはＲＲＣ接続解放メッセージを含む。
【００３２】
第５の態様から第５の態様の第４の可能な実装までを参照すると、第５の態様の第５の可能な実装において、処理ユニットがセル再選択を行うように構成されるプロセスにおいて、ＵＥがネットワーク側へアップリンクデータを送信する必要がある、および／または、ネットワーク側からダウンリンクデータを受信する必要があるという判定がなされるとき、処理ユニットは、ＵＥを接続状態に復元するようにさらに構成され、
ＵＥは、接続状態に復元されたネットワーク側装置へ、アップリンクデータを送信するように構成される送信ユニット、および／または、接続状態に復元されたネットワーク側装置から、ダウンリンクデータを受信するように構成される受信ユニットをさらに備え、接続状態に復元されたネットワーク側装置は、第１のネットワーク側装置または第２のネットワーク側装置を備える。
【００３３】
第５の態様の第５の可能な実装を参照すると、第５の態様の第６の可能な実装において、処理ユニットは、
ＵＥのセルが変化しない場合、送信ユニットを使用することにより、第１のネットワーク側装置へ、スケジューリング要求またはランダムアクセス要求を送信して、ＵＥを接続状態に復元するように特に構成される。
【００３４】
第５の態様の第５の可能な実装を参照すると、第５の態様の第７の可能な実装において、処理ユニットが、ＵＥを接続状態に復元するように構成されるとき、
送信ユニットは、第１のネットワーク側装置または第２のネットワーク側装置へ、ＲＲＣ再開要求メッセージを送信するようにさらに構成され、ＲＲＣ再開要求メッセージは、第１のネットワーク側装置のセル情報、ＵＥのセル無線ネットワークテンポラリ識別Ｃ−ＲＮＴＩ、またはＵＥを接続状態に復元することを要求するための指示情報、のうちの少なくとも１つを含み、
受信ユニットは、第１のネットワーク側装置または第２のネットワーク側装置によって送信されるＲＲＣ再開確認メッセージを受信するようにさらに構成され、ＲＲＣ再開確認メッセージは、ＵＥが接続状態に復元されることを示すために使用され、
送信ユニットは、第１のネットワーク側装置または第２のネットワーク側装置へ、ＲＲＣ接続再開完了メッセージを送信するようにさらに構成される。
【００３５】
第６の態様によると、
ユーザ装置ＵＥへ設定情報を送信するように構成される送信ユニットを備え、設定情報はリストを含み、リストはセルリストまたは基地局リストであり、設定情報は、ＵＥに中間状態に入るように命令するために使用され、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味し、
送信ユニットは、リスト内のネットワーク側装置へ、ＵＥのコンテキスト情報を送信するようにさらに構成される、第１のネットワーク側装置が提供される。
【００３６】
第６の態様を参照すると、第６の態様の第１の可能な実装において、ＵＥが中間状態に入った後、ＵＥが移動し、かつセル移動範囲が、リストに含まれるセルまたは基地局のカバレッジ領域外にある場合に、ＵＥが、ＵＥの現在のサービングセルが配置されるネットワーク側装置へ通知メッセージを送信して、ＵＥが、中間状態から接続状態に復元されるか、またはアイドル状態に戻り、かつ、現在のサービングセルが配置されるネットワーク側装置が、第１のネットワーク側装置、またはＵＥがセル再選択を行った後の第２のネットワーク側装置となるようにすることを示すために、設定情報がさらに使用される。
【００３７】
第６の態様または第６の態様の第１の可能な実装を参照すると、第６の態様の第２の可能な実装において、設定情報は、第１のネットワーク側装置が、ＵＥに、設定情報に従って中間状態に入るように命令する際の条件をさらに含み、条件は、直ちに中間状態に入ること、または予めセットした時間の後に中間状態に入ることを含み、および／または
設定情報は、第１のネットワーク側装置が、ＵＥに、設定情報に従って中間状態に入るように命令する期間、および／または、ＵＥが、期間中に設定情報に従って中間状態に入った後に、行われる動作命令をさらに含み、動作命令は、ＵＥにアイドル状態に入るように命令する、および／または、ＵＥに、第１のネットワーク側装置にＵＥの現在位置情報を通知するように命令する、ために使用される。
【００３８】
第６の態様から第６の態様の第２の可能な実装までを参照すると、第６の態様の第３の可能な実装において、設定情報は、セル再選択をＵＥにより行うためのセル再選択パラメータをさらに含む。
【００３９】
第６の態様から第６の態様の第３の可能な実装までを参照すると、第６の態様の第４の可能な実装において、送信ユニットは、
無線リソース制御ＲＲＣメッセージを使用することにより、ＵＥへ設定情報を送信するように特に構成され、ＲＲＣメッセージは、ＲＲＣ再設定メッセージまたはＲＲＣ接続解放メッセージを含む。
【００４０】
第６の態様から第６の態様の第４の可能な実装までを参照すると、第６の態様の第５の可能な実装において、送信ユニットは、コアネットワーク装置へＵＥのコンテキスト情報を送信するようにさらに構成され、
第１のネットワーク側装置は、第１のネットワーク側装置が、予めセットした時間の間、ＵＥのコンテキスト情報を記憶するときに、ＵＥのコンテキスト情報を解放するように構成される処理ユニットをさらに備える。
【００４１】
第６の態様から第６の態様の第５の可能な実装までを参照すると、第６の態様の第６の可能な実装において、第１のネットワーク側装置は、
ＵＥによって送信されるＲＲＣ再開要求メッセージを受信するように構成される受信ユニットをさらに備え、再開要求メッセージは、第１のネットワーク側装置のセル情報、ＵＥのセル無線ネットワークテンポラリ識別Ｃ−ＲＮＴＩ、またはＵＥを接続状態に復元することを要求するための指示情報のうちの少なくとも１つを含み、
送信ユニットは、ＵＥへＲＲＣ再開確認メッセージを送信するようにさらに構成され、ＲＲＣ再開確認メッセージは、第１のネットワーク側装置により、ＵＥのコンテキスト情報を拡張、削除、または修正するためのパラメータを含み、
受信ユニットは、ＵＥによって送信されるＲＲＣ接続再開完了メッセージを受信するようにさらに構成される。
【００４２】
第６の態様から第６の態様の第６の可能な実装までを参照すると、第６の態様の第７の可能な実装において、受信ユニットは、ＵＥにより送信されるアップリンクスケジューリング要求またはランダムアクセス要求を受信するようにさらに構成され、
送信ユニットは、ＵＥへアップリンクリソースを送信するようにさらに構成され、アップリンクリソースは、第１のネットワーク側装置へアップリンクデータを送信するために、またはアップリンクリソースに従って第１のネットワーク側装置からダウンリンクデータを受信するために、ＵＥにより使用される。
【００４３】
第７の態様によると、
第１のネットワーク側装置によって送信される、中間状態にあるユーザ装置ＵＥの指示情報を受信するように構成される受信ユニットであって、中間状態とは、ＵＥがＵＥのコンテキスト情報を記憶しているとき、もしＵＥが移動し、かつセル移動範囲が、第１のネットワーク側装置によって送信されるリストに含まれるセルまたは基地局のカバレッジ領域内にある場合に、ＵＥがリストに従ってセル再選択を行う状態を意味する、受信ユニットと、
第１のネットワーク側装置からＵＥのコンテキスト情報を取得し、または、ＵＥによって送信される無線リソース制御ＲＲＣ再開要求メッセージが受信されるときに、第２のネットワーク側装置からＵＥのコンテキスト情報を取得して、ＵＥからアップリンクデータを受信、またはＵＥへダウンリンクデータを送信する、ように構成される取得ユニットと
を備える第２のネットワーク側装置が提供される。
【００４４】
第７の態様を参照すると、第７の態様の第１の可能な実装において、受信ユニットは、
第１のネットワーク側装置によって送信されるＵＥのコンテキスト情報を、受信および保存するようにさらに構成される。
【００４５】
第７の態様または第７の態様の第１の可能な実装を参照すると、第７の態様の第２の可能な実装において、取得ユニットは、
第２のネットワーク側装置が、ＵＥによって送信されるＲＲＣ再開要求メッセージを受信する前に、第２のネットワーク側装置が、ＵＥのコンテキスト情報をローカルに記憶しない場合に、第２のネットワーク側装置からＵＥのコンテキスト情報を取得するように特に構成され、または
第２のネットワーク側装置が、ＵＥによって送信されるＲＲＣ再開要求メッセージを受信する前に、第２のネットワーク側装置が、ＵＥのコンテキスト情報をローカルに記憶しない場合に、第１のネットワーク側装置からＵＥのコンテキスト情報を取得するように特に構成され、
ＲＲＣ再開要求メッセージは、ＵＥが、中間状態から接続状態に復元されるときに、第２のネットワーク側装置へ送信されるために使用される。
【００４６】
第７の態様から第７の態様の第２の可能な実装までを参照すると、第７の態様の第３の可能な実装において、第２のネットワーク側装置は、第２のネットワーク側装置が、コアネットワーク装置によって送信されるページングメッセージを受信して、ＵＥへ送信される必要があるダウンリンクデータがあると判定するとき、ＵＥへページングメッセージを送信し、第２のネットワーク側装置がＵＥへのＲＲＣ接続を確立した後に、ＵＥへ、コアネットワーク装置から受信されるダウンリンクデータを送信するように構成される送信ユニット、または
第１のネットワーク側装置によって送信されるページングメッセージが受信されて、ＵＥへ送信される必要があるダウンリンクデータがあると判定されるとき、ＵＥへページングメッセージを送信し、第２のネットワーク側装置がＵＥへのＲＲＣ接続を確立した後に、ＵＥへ、第１のネットワーク側装置から受信されるダウンリンクデータを送信するようにさらに構成される送信ユニット
をさらに備える。
【００４７】
第８の態様によると、
ユーザ装置ＵＥによって送信される、中間状態にあるＵＥの指示情報を受信するように構成される受信ユニットであって、中間状態とは、ＵＥがＵＥのコンテキスト情報を記憶しているとき、もしＵＥが移動し、かつセル移動範囲が、第１のネットワーク側装置によりＵＥへ送信されるリストに含まれるセルまたは基地局のカバレッジ領域内にある場合に、ＵＥがリストに従ってセル再選択を行う状態を意味する、受信ユニットと、
コアネットワーク装置が、ＵＥへダウンリンクデータを伝送する必要がある場合に、リスト内の少なくとも１つのネットワーク側装置へページングメッセージを送信して、少なくとも１つのネットワーク側装置における、かつＵＥに接続される、第１のネットワーク側装置または第２のネットワーク側装置を使用することにより、ＵＥへダウンリンクデータを送信するか、または、第１のネットワーク側装置へダウンリンクデータを送信して、第１のネットワーク側装置を使用することにより、ＵＥへダウンリンクデータを送信するか、または、リスト内の少なくとも１つのネットワーク側装置へダウンリンクデータをコアネットワーク装置により送信して、少なくとも１つのネットワーク側装置を使用することにより、ＵＥへダウンリンクデータを送信するように構成される送信ユニットと
を備えるコアネットワーク装置が提供される。
【００４８】
第８の態様を参照すると、第８の態様の第１の可能な実装において、受信ユニットは、第１のネットワーク側装置によって送信されるＵＥのコンテキスト情報を、受信および保存するようにさらに構成される。
【００４９】
第９の態様によると、
第１のネットワーク側装置によって送信される設定情報を受信するように構成されるレシーバであって、設定情報はリストを含み、リストはセルリストまたは基地局リストである、レシーバと、
設定情報に従って中間状態に入るように構成されるプロセッサであって、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する、プロセッサと
を備えるユーザ装置が提供される。
【００５０】
第９の態様を参照すると、第９の態様の第１の可能な実装において、中間状態とは、ＵＥのセル移動範囲が、リストに含まれるセルまたは基地局のカバレッジ領域外にある場合に、ＵＥが、ＵＥの現在のサービングセルが配置されるネットワーク側装置へ通知メッセージを送信して、ＵＥが、中間状態から接続状態に復元されるか、またはアイドル状態に戻り、かつ、現在のサービングセルが配置されるネットワーク側装置が、第１のネットワーク側装置、またはＵＥがセル再選択を行った後の第２のネットワーク側装置となるようにすることをさらに意味する。
【００５１】
第９の態様または第９の態様の第１の可能な実装を参照すると、第９の態様の第２の可能な実装において、設定情報は、第１のネットワーク側装置が、ＵＥに、設定情報に従って中間状態に入るように命令する際の条件をさらに含み、条件は、直ちに中間状態に入ること、または予めセットした時間の後にアイドル状態に入ることを含み、および／または
設定情報は、第１のネットワーク側装置が、ＵＥに、設定情報に従って中間状態に入るように命令する期間、および／または、ＵＥが、期間中に設定情報に従って中間状態に入った後に、行われる動作命令をさらに含み、動作命令は、ＵＥにアイドル状態に入るように命令する、および／または、ＵＥに、第１のネットワーク側装置にＵＥの現在位置情報を通知するように命令する、ために使用される。
【００５２】
第９の態様から第９の態様の第２の可能な実装までを参照すると、第９の態様の第３の可能な実装において、設定情報は、セル再選択をＵＥにより行うためのセル再選択パラメータをさらに含む。
【００５３】
第９の態様から第９の態様の第３の可能な実装を参照すると、第９の態様の第４の可能な実装において、設定情報は、第１のネットワーク側装置により無線リソース制御ＲＲＣメッセージで搬送され、ＲＲＣメッセージは、ＲＲＣ接続確立メッセージ、ＲＲＣ再設定メッセージ、またはＲＲＣ接続解放メッセージを含む。
【００５４】
第９の態様から第９の態様の第４の可能な実装までを参照すると、第９の態様の第５の可能な実装において、プロセッサがセル再選択を行うように構成されるプロセスにおいて、ＵＥがネットワーク側へアップリンクデータを送信する必要がある、および／または、ネットワーク側からダウンリンクデータを受信する必要があるという判定がなされるとき、プロセッサは、ＵＥを接続状態に復元するようにさらに構成され、
ＵＥは、接続状態に復元されたネットワーク側装置へ、アップリンクデータを送信するように構成されるトランスミッタ、および／または、接続状態に復元されたネットワーク側装置から、ダウンリンクデータを受信するように構成されるレシーバをさらに備え、接続状態に復元されたネットワーク側装置は、第１のネットワーク側装置または第２のネットワーク側装置を備える。
【００５５】
第９の態様の第５の可能な実装を参照すると、第９の態様の第６の可能な実装において、トランスミッタは、
ＵＥのセルが変化しない場合、第１のネットワーク側装置へ、スケジューリング要求またはランダムアクセス要求を送信して、ＵＥを接続状態に復元するように特に構成される。
【００５６】
第９の態様の第５の可能な実装を参照すると、第９の態様の第７の可能な実装において、トランスミッタは、第１のネットワーク側装置または第２のネットワーク側装置へ、ＲＲＣ再開要求メッセージを送信するようにさらに構成され、ＲＲＣ再開要求メッセージは、第１のネットワーク側装置のセル情報、ＵＥのセル無線ネットワークテンポラリ識別Ｃ−ＲＮＴＩ、またはＵＥを接続状態に復元することを要求するための指示情報、のうちの少なくとも１つを含み、
レシーバは、第１のネットワーク側装置または第２のネットワーク側装置によって送信されるＲＲＣ再開確認メッセージを受信するようにさらに構成され、ＲＲＣ再開確認メッセージは、ＵＥが接続状態に復元されることを示すために使用され、
トランスミッタは、第１のネットワーク側装置または第２のネットワーク側装置へ、ＲＲＣ接続再開完了メッセージを送信するようにさらに構成される。
【００５７】
第１０の態様によると、
ユーザ装置ＵＥへ設定情報を送信するように構成されるトランスミッタを備え、設定情報はリストを含み、リストはセルリストまたは基地局リストであり、設定情報は、ＵＥに中間状態に入るように命令するために使用され、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味し、
トランスミッタは、リスト内のネットワーク側装置へ、ＵＥのコンテキスト情報を送信するようにさらに構成される第１のネットワーク側装置が提供される。
【００５８】
第１０の態様を参照すると、第１０の態様の第１の可能な実装において、ＵＥが中間状態に入った後、ＵＥが移動し、かつセル移動範囲が、リストに含まれるセルまたは基地局のカバレッジ領域外にある場合に、ＵＥが、ＵＥの現在のサービングセルが配置されるネットワーク側装置へ通知メッセージを送信して、ＵＥが、中間状態から接続状態に復元されるか、またはアイドル状態に戻り、かつ、現在のサービングセルが配置されるネットワーク側装置が、第１のネットワーク側装置、またはＵＥがセル再選択を行った後の第２のネットワーク側装置となるようにすることを示すために、設定情報がさらに使用される。
【００５９】
第１０の態様または第１０の態様の第１の可能な実装を参照すると、第１０の態様の第２の可能な実装において、設定情報は、第１のネットワーク側装置が、ＵＥに、設定情報に従って中間状態に入るように命令する際の条件をさらに含み、条件は、直ちに中間状態に入ること、または予めセットした時間の後に中間状態に入ることを含み、および／または
設定情報は、第１のネットワーク側装置が、ＵＥに、設定情報に従って中間状態に入るように命令する期間、および／または、ＵＥが、期間中に設定情報に従って中間状態に入った後に、行われる動作命令をさらに含み、動作命令は、ＵＥにアイドル状態に入るように命令する、および／または、ＵＥに、第１のネットワーク側装置にＵＥの現在位置情報を通知するように命令する、ために使用される。
【００６０】
第１０の態様から第１０の態様の第２の可能な実装までを参照すると、第１０の態様の第３の可能な実装において、設定情報は、セル再選択をＵＥにより行うためのセル再選択パラメータをさらに含む。
【００６１】
第１０の態様から第１０の態様の第２の可能な実装までを参照すると、第１０の態様の第３の可能な実装において、トランスミッタは、
無線リソース制御ＲＲＣメッセージを使用することにより、ＵＥへ設定情報を送信するように特に構成され、ＲＲＣメッセージは、ＲＲＣ再設定メッセージまたはＲＲＣ接続解放メッセージを含む。
【００６２】
第１０の態様から第１０の態様の第３の可能な実装までを参照すると、第１０の態様の第４の可能な実装において、トランスミッタは、コアネットワーク装置へＵＥのコンテキスト情報を送信するようにさらに構成され、
第１のネットワーク側装置は、第１のネットワーク側装置が、予めセットした時間の間、ＵＥのコンテキスト情報を記憶するときに、ＵＥのコンテキスト情報を解放するように構成されるプロセッサをさらに備える。
【００６３】
第１０の態様から第１０の態様の第４の可能な実装までを参照すると、第１０の態様の第５の可能な実装において、第１のネットワーク側装置は、
ＵＥによって送信されるＲＲＣ再開要求メッセージを受信するように構成されるレシーバをさらに備え、再開要求メッセージは、第１のネットワーク側装置のセル情報、ＵＥのセル無線ネットワークテンポラリ識別Ｃ−ＲＮＴＩ、またはＵＥを接続状態に復元することを要求するための指示情報のうちの少なくとも１つを含み、
トランスミッタは、ＵＥへＲＲＣ再開確認メッセージを送信するようにさらに構成され、ＲＲＣ再開確認メッセージは、第１のネットワーク側装置により、ＵＥのコンテキスト情報を拡張、削除、または修正するためのパラメータを含み、
レシーバは、ＵＥによって送信されるＲＲＣ接続再開完了メッセージを受信するようにさらに構成される。
【００６４】
第１０の態様から第１０の態様の第５の可能な実装までを参照すると、第１０の態様の第６の可能な実装において、レシーバは、ＵＥにより送信されるアップリンクスケジューリング要求またはランダムアクセス要求を受信するようにさらに構成され、
トランスミッタは、ＵＥへアップリンクリソースを送信するようにさらに構成され、アップリンクリソースは、第１のネットワーク側装置へアップリンクデータを送信するために、またはアップリンクリソースに従って第１のネットワーク側装置からダウンリンクデータを受信するために、ＵＥにより使用される。
【００６５】
第１１の態様によると、
第１のネットワーク側装置によって送信される、中間状態にあるユーザ装置ＵＥの指示情報を受信するように構成されるレシーバであって、中間状態とは、ＵＥがＵＥのコンテキスト情報を記憶しているとき、もしＵＥが移動し、かつセル移動範囲が、第１のネットワーク側装置によって送信されるリストに含まれるセルまたは基地局のカバレッジ領域内にある場合に、ＵＥがリストに従ってセル再選択を行う状態を意味する、レシーバと、
第１のネットワーク側装置からＵＥのコンテキスト情報を取得し、または、レシーバがＵＥによって送信される無線リソース制御ＲＲＣ再開要求メッセージを受信するときに、第２のネットワーク側装置からＵＥのコンテキスト情報を取得して、ＵＥからアップリンクデータを受信、またはＵＥへダウンリンクデータを送信する、ように構成されるプロセッサと
を備える第２のネットワーク側装置が提供される。
【００６６】
第１１の態様を参照すると、第１１の態様の第１の可能な実装において、レシーバは、第１のネットワーク側装置によって送信されるＵＥのコンテキスト情報を、受信および保存するようにさらに構成される。
【００６７】
第１１の態様または第１１の態様の第１の可能な実装を参照すると、第１１の態様の第２の可能な実装において、プロセッサは、メモリがＵＥのコンテキスト情報を記憶しない場合に、レシーバがＵＥによって送信される無線リソース制御ＲＲＣ再開要求メッセージを受信するとき、メモリからＵＥのコンテキスト情報を取得するように特に構成され、または
レシーバが、ＵＥによって送信されるＲＲＣ再開要求メッセージを受信する前に、メモリがＵＥのコンテキスト情報を記憶しない場合に、第１のネットワーク側装置からＵＥのコンテキスト情報を取得するように特に構成され、
ＲＲＣ再開要求メッセージは、ＵＥが、中間状態から接続状態に復元されるときに、第２のネットワーク側装置へ送信されるために使用される。
【００６８】
第１１の態様から第１１の態様の第２の可能な実装までを参照すると、第１１の態様の第３の可能な実装において、第２のネットワーク側装置は、第２のネットワーク側装置が、コアネットワーク装置によって送信されるページングメッセージを受信して、ＵＥへ送信される必要があるダウンリンクデータがあると判定するとき、ＵＥへページングメッセージを送信し、第２のネットワーク側装置がＵＥへのＲＲＣ接続を確立した後に、ＵＥへ、コアネットワーク装置から受信されるダウンリンクデータを送信するように構成されるトランスミッタ、または
第１のネットワーク側装置によって送信されるページングメッセージが受信されて、ＵＥへ送信される必要があるダウンリンクデータがあると判定されるとき、ＵＥへページングメッセージを送信し、第２のネットワーク側装置がＵＥへのＲＲＣ接続を確立した後に、ＵＥへ、第１のネットワーク側装置から受信されるダウンリンクデータを送信するように構成されるトランスミッタ
をさらに備える。
【００６９】
第１２の態様によると、
ユーザ装置ＵＥによって送信される、中間状態にあるＵＥの指示情報を受信するように構成されるレシーバであって、中間状態とは、ＵＥがＵＥのコンテキスト情報を記憶しているとき、もしＵＥが移動し、かつセル移動範囲が、第１のネットワーク側装置によりＵＥへ送信されるリストに含まれるセルまたは基地局のカバレッジ領域内にある場合に、ＵＥがリストに従ってセル再選択を行う状態を意味する、レシーバと、
コアネットワーク装置が、ＵＥへダウンリンクデータを伝送する必要がある場合に、リスト内の少なくとも１つのネットワーク側装置へページングメッセージを送信して、少なくとも１つのネットワーク側装置における、かつＵＥに接続される、第１のネットワーク側装置または第２のネットワーク側装置を使用することにより、ＵＥへダウンリンクデータを送信するか、または、第１のネットワーク側装置へダウンリンクデータを送信して、第１のネットワーク側装置を使用することにより、ＵＥへダウンリンクデータを送信するか、または、リスト内の少なくとも１つのネットワーク側装置へダウンリンクデータを送信して、少なくとも１つのネットワーク側装置を使用することにより、ＵＥへダウンリンクデータを送信するように構成されるトランスミッタと
を備えるコアネットワーク装置が提供される。
【００７０】
第１２の態様を参照すると、第１２の態様の第１の可能な実装において、レシーバは、第１のネットワーク側装置によって送信されるＵＥのコンテキスト情報を、受信および保存するようにさらに構成される。
【００７１】
本発明の実施形態は、シグナリング最適化の方法および装置を提供する。ＵＥは、第１のネットワーク側装置によって送信される設定情報を受信する。設定情報はリストを含む。リストは、セルリストまたは基地局リストである。ＵＥは、設定情報に従って中間状態に入る。中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する。このようにして、従来技術と比較すると、本発明では、ＵＥがセルハンドオーバを行うのではなく、セル再選択が行われ、ＵＥおよびネットワーク側のシグナリングオーバーヘッドを低減するようにする。従来技術においては、ＵＥは、アイドル状態から接続状態へ復元され、ＵＥのコンテキストが再確立される。従来技術と比較すると、本発明では、ＵＥが中間状態から接続状態へ復元される必要があっても、ＵＥがＵＥのコンテキスト情報を記憶するので、ＵＥは、ネットワーク側とのＲＲＣ接続を再確立する必要がなく、また、コンテキスト情報を構築する必要がない。したがって、従来技術における、ＵＥがネットワーク側にアクセスする際の重いシグナリングオーバーヘッドおよび長いデータ伝送遅延、という問題が解決される。
【図面の簡単な説明】
【００７２】
本発明の実施形態または従来技術における技術的解決法について、より明確に説明するために、以下では、実施形態または従来技術を説明するために必要とされる添付図面について、簡単に説明する。明らかに、以下の説明における添付の図面は、単に本発明のいくつかの実施形態を示し、当業者は、創造的努力をせずに、これら添付の図面から他の図面をさらに導き出し得る。
【図１】本発明の実施形態によるＬＴＥシステムの概略図である。
【図２】本発明の実施形態によるシグナリング最適化の方法の概略フローチャートである。
【図３】本発明の実施形態によるシグナリング最適化の方法の概略フローチャートである。
【図４】本発明の実施形態によるシグナリング最適化の方法の概略フローチャートである。
【図５】本発明の実施形態によるシグナリング最適化の方法の概略フローチャートである。
【図６】本発明の実施形態によるシグナリング最適化の方法の概略フローチャートである。
【図７ａ−１】本発明の実施形態によるシグナリング最適化の方法の概略フローチャ
【図７ａ−２】本発明の実施形態によるシグナリング最適化の方法の概略フローチャートである。
【図７ｂ】本発明の実施形態によるシグナリング最適化の方法の概略フローチャートである。
【図８】本発明の実施形態によるユーザ装置の概略構造図である。
【図９】本発明の実施形態による第１のネットワーク側装置の概略構造図である。
【図１０】本発明の実施形態によるユーザ装置の概略構造図である。
【図１１】本発明の実施形態による第１のネットワーク側装置の概略構造図である。
【図１２】本発明の実施形態による第２のネットワーク側装置の概略構造図である。
【図１３】本発明の実施形態によるコアネットワーク装置の概略構造図である。
【図１４】本発明の実施形態による第２のネットワーク側装置の概略構造図である。
【図１５】本発明の実施形態によるコアネットワーク装置の概略構造図である。
【発明を実施するための形態】
【００７３】
以下では、本発明の実施形態の添付図面を参照して、本発明の実施形態の技術的解決法について、明確かつ完全に説明する。明らかに、説明される実施形態は、単に本発明の実施形態のいくつかであるが、全てではない。本発明の実施形態に基づき、創造的努力をせずに、当業者によって取得される他の全ての実施形態が、本発明の保護範囲内にあるものとする。
【００７４】
ワイヤレス通信システムでは、本発明におけるセルハンドオーバとは、移動局が、セル（基地局、または基地局のカバレッジ領域）から別のセルへ移動する際に、移動局ユーザの通信が中断されないことを確実にするために行われる必要がある、チャネル切替である。
【００７５】
本発明におけるセル再選択とは、アイドル状態にあるＵＥが、現在のセルおよび隣接するセルの信号、例えば、信号レベル、信号強度、および信号品質、を監視する必要があり、比較的高い強度もしくは品質を有するセル、または、信号強度もしくは信号品質が閾値に達するセルを、現在のサービングセルとして選択する、ということを意味する。
【００７６】
本発明の実施形態は、シグナリング最適化の方法を提供する。図２に示されるように、方法は以下のステップを含む。
【００７７】
２０１．ユーザ装置ＵＥが、第１のネットワーク側装置によって送信される設定情報を受信し、設定情報はリストを含み、リストはセルリストまたは基地局リストである。
【００７８】
詳細には、セルリストは、少なくとも１つのセルのセル識別子を含み、基地局リストは、少なくとも１つの基地局の基地局識別子を含む。
【００７９】
前述のセルリストまたは基地局リストが、トラッキングエリアまたはトラッキングエリアリストと置き換えられてもまたよいことは、理解される。このことは、本発明において限定されない。
【００８０】
任意選択で、設定情報は、ＵＥに中間状態に入るように命令する情報をさらに含んでよい。
【００８１】
２０２．ＵＥは、設定情報に従って中間状態に入り、ここで中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する。
【００８２】
ＵＥのコンテキスト情報は、少なくとも、ＵＥが中間状態にあるという情報を含む。ＵＥのセル移動範囲が、リストに含まれるセルまたは基地局のカバレッジ領域外にある場合には、ＵＥが、ＵＥの現在のサービングセルが配置されるネットワーク側装置へ通知メッセージを送信して、ＵＥが、中間状態から接続状態に復元されるか、またはアイドル状態に戻るようにする。現在のサービングセルが配置されるネットワーク側装置は、第１のネットワーク側装置、またはＵＥがセル再選択を行った後の第２のネットワーク側装置である。
【００８３】
ネットワーク側装置は、発展型ＮｏｄｅＢすなわちｅＮＢ、基地局、無線ネットワークコントローラ、などであってよい。ＵＥが基地局へのＲＲＣ接続を確立して接続状態になると、シグナリング無線ベアラ（ｓｉｇｎａｌｉｎｇ  ｒａｄｉｏ  ｂｅａｒｅｒ、ＳＲＢ）１がＵＥとネットワーク側装置との間で確立される。ネットワーク側装置は、ＵＥのコンテキスト情報を記憶し、ＵＥが中間状態にあるかどうかについての情報をさらに含む。そして、ステップ２０１にて、ＵＥは、第１のネットワーク側装置によって送信される設定情報を受信する。設定情報は、セルリストまたは基地局リストであってよい。セルリストは、ＵＥが現在配置されるセルの隣接するセルのリストであってよく、ＵＥが現在配置されるセルから離れた複数のセルを含んでもまたよい。例えば、セルリストは、隣接するセルおよび離れたセルのセル識別子を含む。基地局リストは、セルリストと同様である。基地局リストは、ＵＥが現在配置される基地局に隣接する基地局の識別子、および、ＵＥが現在配置される基地局から離れた基地局の識別子を含んでよい。セルリストは、トラッキングエリアまたはトラッキングエリアリストであってもまたよい。トラッキングエリアまたはトラッキングエリアリストは、セルリストに対応しているか、またはセルリストを含む。このことは、本発明において限定されない。
【００８４】
リストは、ＵＥが移動し、リストの範囲内に移動する場合は、ＵＥは、セル再選択を自動的に行ってよく、また、ネットワーク側装置に通知する必要がなく、または、ＵＥがリストの範囲の外に移動する場合は、ＵＥはネットワーク側装置に通知する必要がある、ということを示すために使用される。従来技術においては、ＵＥが接続状態にあり、セルから別のセルに移動する場合は、セルハンドオーバが行われることが必要であり、ＵＥがアイドル状態にあり、セルから別のセルに移動する場合は、セル再選択が行われる必要がある。従来技術と比較すると、本発明では、接続状態にあるＵＥが、ネットワーク側装置によって送信される設定情報を受信するとき、セルが変化する場合はセル再選択が行われ、すなわち、ＵＥは、接続状態とアイドル状態の中間にある。したがって、ステップ２０１および２０３にて、ＵＥは、設定情報に従って中間状態に入ってよい。ここで中間状態とは、ＵＥがコンテキスト情報を記憶しているとき、もしＵＥが移動し、かつセル移動範囲が、リスト内にある場合に、ＵＥがセル再選択を行い、または、ＵＥのセル移動範囲がリスト外にある場合に、ＵＥがネットワーク側装置へ通知メッセージを送信し、ＵＥが、中間状態から接続状態に復元されるか、またはアイドル状態に戻るようにする、状態を意味する。
【００８５】
従来技術においては、ＵＥが接続状態にあるときにセルが変化する場合、セルハンドオーバが行われる必要がある。セルハンドオーバのプロセスは、ＵＥとｅＮＢなどのネットワーク側装置との間の相互作用を含む。ＵＥは、要件が満たされた後に、測定レポートをネットワーク側装置に報告する。そして、ネットワーク側装置は、アルゴリズムポリシーと組み合わせてハンドオーバの判定を行う。最後に、ＵＥはセルハンドオーバを行う。しかし、本発明では、ＵＥが接続状態にあるときにセルが変化する場合、セルハンドオーバが行われるのでなく、セル再選択プロセスが行われる。このプロセスにおいて、ＵＥはネットワーク側と通信する必要はなく、ＵＥはセル再選択基準に従ってセル再選択を自動的に行う。その結果、ＵＥが移動する際のシグナリングオーバーヘッドを低減して、ＵＥの電力を節約することができる。従来技術においては、ＵＥがアイドル状態にあるときに、データが送信される必要がない場合は、ＵＥは、ＵＥのコンテキスト情報を解放しており、データが送信される必要が生じた場合は、ネットワーク側へのＲＲＣ接続を再確立する必要がある。しかし、本発明では、ＵＥは、ＵＥのコンテキスト情報を記憶しており、ＵＥが中間状態から接続状態に復元される必要があるときにデータ伝送を行うために、ＵＥは、ネットワーク側装置との間で、コンテキスト情報を再確立するプロセスを実行する必要がない。これによりシグナリングオーバーヘッドを低減し、データ伝送遅延を短縮し、ＵＥの電力を節約する。
【００８６】
前述の実施形態に対応して、本発明の実施形態はシグナリング最適化の方法を提供する。図３に示されるように、方法は以下のステップを含む。
【００８７】
３０１．第１のネットワーク側装置は、ＵＥへ設定情報を送信し、設定情報はリストを含み、リストはセルリストまたは基地局リストであり、設定情報は、ＵＥに中間状態に入るように命令するために使用される。ここで中間状態とは、ＵＥがＵＥのコンテキスト情報を記憶しているとき、もしＵＥが移動し、かつセル移動範囲が、リストに含まれるセルまたは基地局のカバレッジ領域内にある場合には、ＵＥがリストに従ってセル再選択を行う状態を意味する。
【００８８】
ＵＥのコンテキスト情報は、少なくとも、ＵＥが中間状態にあるという情報を含む。
【００８９】
３０２．第１のネットワーク側装置は、リスト内のネットワーク側装置へコンテキスト情報を送信する。
【００９０】
第１のネットワーク側装置は、まだＵＥのコンテキスト情報を記憶している。さらに、第１のネットワーク側装置は、リスト内のネットワーク側装置へＵＥのコンテキスト情報を送信してよい。したがって、ＵＥが、リスト内の別のネットワーク側装置のセルに対してセル再選択を行うとき、ＵＥは、別のネットワーク側装置との間でＵＥのコンテキスト情報を確立する必要がない。
【００９１】
このステップは任意選択である。
【００９２】
本発明の本実施形態は、シグナリング最適化の方法を提供する。ＵＥは、第１のネットワーク側装置によって送信される設定情報を受信する。設定情報はリストを含む。リストは、セルリストまたは基地局リストである。ＵＥは、設定情報に従って中間状態に入る。ここで中間状態とは、ＵＥがＵＥのコンテキスト情報を記憶しているとき、もしＵＥが移動し、かつセル移動範囲が、リストに含まれるセルまたは基地局のカバレッジ領域内にある場合には、ＵＥがリストに従ってセル再選択を行い、または、ＵＥのセル移動範囲がリスト外にある場合には、ＵＥが第１のネットワーク側装置へ通知メッセージを送信し、ＵＥが、中間状態から接続状態またはアイドル状態に復元されるようにする、状態を意味する。従来技術と比較すると、本発明では、接続状態にあるＵＥは、セルハンドオーバを行うのではなく、セル再選択を行う。従来技術においては、ＵＥがアイドル状態から接続状態に復元されるときに、ＵＥは、ＵＥのコンテキストを再確立する。従来技術と比較すると、本発明では、ＵＥがＵＥのコンテキスト情報を記憶するので、ＵＥが中間状態から接続状態に復元されるプロセスにおいて、ネットワーク側へのＲＲＣ接続が再確立される必要がなく、また、コンテキスト情報が構築される必要がない。したがって、従来技術における、ＵＥがネットワーク側にアクセスする際の重いシグナリングオーバーヘッドおよび長いデータ伝送遅延という問題が解決される。
【００９３】
以下では、本発明の実施形態について説明し、シグナリング最適化の方法を提供する。図４に示されるように、方法は以下のステップを含む。
【００９４】
４０１．ＵＥは、第１のネットワーク側装置へのＲＲＣ接続を確立し、ＲＲＣ接続状態に入る。
【００９５】
詳細には、ＵＥは、第１のネットワーク側装置へランダムアクセスコードを送信し、第１のネットワーク側装置によって送信されるランダムアクセス応答を受信し、ランダムアクセス応答内のアップリンクグラントに従って、第１のネットワーク側装置へＲＲＣ接続確立要求メッセージを送信し、そして、第１のネットワーク側装置によって送信されるＲＲＣ接続確立メッセージを受信してよい。ＵＥは、ＲＲＣ接続確立メッセージ内の設定パラメータを採用し、第１のネットワーク側装置へＲＲＣ接続確立完了メッセージを送信する。ＵＥはＲＲＣ接続状態に入る。このようにして、ＵＥと第１のネットワーク側装置とは、シグナリング無線ベアラＳＲＢ１を含む、ＵＥのコンテキスト情報を確立する。
【００９６】
ＵＥのコンテキスト情報は、ＵＥの識別子、例えば、ＵＥに対して第１のネットワーク側装置によって割り当てられるセル無線ネットワークテンポラリ識別（Ｃｅｌｌ−Ｒａｄｉｏ  Ｎｅｔｗｏｒｋ  Ｔｅｍｐｏｒａｒｙ  Ｉｄｅｎｔｉｔｙ、Ｃ−ＲＮＴＩ）；ＵＥの無線ベアラ設定情報、例えば、ＳＲＢおよび／またはデータ無線ベアラ（Ｄａｔａ  Ｂｅａｒｅｒｓ、ＤＲＢ）；ＵＥの媒体アクセス制御（Ｍｅｄｉａ  Ａｃｃｅｓｓ  Ｃｏｎｔｒｏｌ、ＭＡＣ）層設定パラメータ、例えば、バッファステータスレポート（Ｂｕｆｆｅｒ  Ｓｔａｔｕｓ  Ｒｅｐｏｒｔ、ＢＳＲ）パラメータ設定、パワーヘッドルームレポート（Ｐｏｗｅｒ  Ｈｅａｄｒｏｏｍ  Ｒｅｐｏｒｔ、ＰＨＲ）パラメータ設定、および、間欠受信（Ｄｉｓｃｏｎｔｉｎｕｏｕｓ  Ｒｅｃｅｐｔｉｏｎ、ＤＲＸ）；ＵＥの物理層パラメータ設定、例えば、各物理層チャネルに関連するパラメータ設定；または、ＵＥのセキュリティ関連パラメータ、例えば、セキュリティキーおよびセキュリティアルゴリズム、を含んでよい。
【００９７】
このステップは任意選択である。
【００９８】
４０２．第１のネットワーク側装置は、ＵＥへ設定情報を送信し、設定情報はリストを含み、リストはセルリストまたは基地局リストである。
【００９９】
任意選択で、設定メッセージは、ＵＥに中間状態に入るように命令する情報をさらに含んでよい。
【０１００】
セルリストまたは基地局リストは、ＵＥが移動し、かつ移動範囲がリスト内にある場合は、ＵＥは、セル再選択を自動的に行ってよく、ネットワーク側装置に通知する必要がないことを示すために使用され、または、ＵＥが移動し、かつ移動範囲がリスト外にある場合は、ＵＥはネットワーク側装置に通知する必要があることを示すためにさらに使用される。
【０１０１】
任意選択で、設定情報は、第１のネットワーク側装置によりシステム報知メッセージで搬送されてもよいし、専用メッセージで搬送されてもよい。専用メッセージは、無線リソース制御ＲＲＣメッセージで搬送されてよい。ＲＲＣメッセージは、ＲＲＣ接続確立メッセージ、ＲＲＣ再設定メッセージ、もしくはＲＲＣ接続解放メッセージ、または別の新しいＲＲＣメッセージであり得る。このことは、本発明において限定されない。任意選択で、設定情報は、ＭＡＣ層メッセージなどの別のメッセージで搬送されてもよいし、物理層（Ｐｈｙｓｉｃａｌ  Ｌａｙｅｒ、ＰＨＹ）メッセージで搬送されてもよい。設定情報は、１つのメッセージで搬送されてもよいし、例えば、システム報知メッセージと専用メッセージとの組み合わせなど、複数のメッセージで別々に搬送されてもよい。このことは、本発明において限定されない。
【０１０２】
４０３．ＵＥは、設定情報に従って中間状態に入り、ここで中間状態とは、ＵＥがＵＥのコンテキスト情報を記憶しているとき、もしＵＥが移動し、かつセル移動範囲が、リストにある場合に、ＵＥがリストに従ってセル再選択を行う状態を意味する。
【０１０３】
あるいは、ＵＥのセル移動範囲がリスト外にある場合に、ＵＥは、第１のネットワーク側装置へ通知メッセージを送信して、ＵＥが中間状態から接続状態に復元されるようにする。
【０１０４】
詳細には、ＵＥがコンテキスト情報を記憶するとは、ＵＥが、無線ベアラパラメータ設定情報、ＭＡＣ層パラメータ設定情報、物理リソース設定情報、保持されるタイマ、またはステータス変数情報のうちの１つまたは複数を記憶すること、を意味する。
【０１０５】
設定情報は、第１のネットワーク側装置がＵＥに中間状態に入るように命令する際の条件も含んでもまたよい。条件は、設定情報を即座に使用すること、すなわち、ＵＥが即座に中間状態に入ること、であってよく、予めセットした時間の後に設定情報を使用すること、すなわち、ＵＥが、予めセットした時間の後に中間状態に入ること、であってよく、特定の時間にデータ伝送がないときに、ＵＥが設定情報を使用して、中間状態に入ること、等であってよい。
【０１０６】
任意選択で、設定情報は、設定情報に従って、第１のネットワーク側装置がＵＥに中間状態に入るように命令する期間、および／または、設定情報に従って、期間中にＵＥが中間状態に入った後に行われる動作命令、をさらに含んでよい。動作命令は、ＵＥにアイドル状態に入るように命令するおよび／または、ＵＥに、ＵＥの現在位置情報を第１のネットワーク側装置に通知するように命令する、ために使用されてよい。
【０１０７】
４０４．ＵＥが中間状態に入った後、ＵＥが移動し、かつセル移動範囲が、リスト内にある場合に、ＵＥがセル再選択を行う。
【０１０８】
詳細には、ＵＥは、セル再選択基準に基づきセル再選択を行ってよく、例えば、ＵＥは、１秒よりも長い間現在のサービングセルに滞在し、または、現在のサービングセルのセル選択評価測定値は、周波数内セル、周波数間セル、システム間セル、などの再選択閾値より小さい。
【０１０９】
ＵＥによりセル再選択を行うためのセル再選択パラメータは、ＵＥが配置されるサービングセルのシステム報知メッセージを、ＵＥによって受信することにより取得されてよい。例えば、ＵＥの現在のサービングセルがセル１である場合、ＵＥは、セル１のシステム報知メッセージを読んで、セル１の代わりに別のセルを再選択するためのセル再選択パラメータを取得してよく、また、セル１の代わりにセル２を再選択しているときは、ＵＥはセル２のシステム報知メッセージを読んで、セル２の代わりに別のセルを再選択するためのセル再選択パラメータを取得する。任意選択で、セル再選択パラメータは、第１のネットワーク側装置によって送信される設定情報で搬送されてよい。例えば、セル再選択パラメータのセットが通知され、または、リスト内の各セルが、セル再選択パラメータのセットを通知される。あるいは、セル再選択パラメータは、設定情報を受信するセルのシステム報知メッセージを使用することにより、取得されてよい。
【０１１０】
４０５．第１のネットワーク側装置は、リスト内のネットワーク側装置へＵＥのコンテキスト情報を送信する。
【０１１１】
ＵＥのコンテキスト情報は、中間状態にあるＵＥの指示情報を含んでよい。あるいは、第１のネットワーク側装置は、中間状態にあるＵＥの指示情報と、ＵＥのコンテキスト情報とを、リスト内のネットワーク側装置へ別々に送信する。
【０１１２】
第１のネットワーク側装置がＵＥへ設定情報を送信した後、第１のネットワーク側装置は、リスト内のネットワーク側装置へＵＥのコンテキスト情報を送信して、リスト内のネットワーク側装置も、ＵＥのコンテキスト情報を記憶するようにしてよい。このようにして、リスト内の別のネットワーク側装置を再選択するときは、ＵＥは、別のネットワーク側装置との間でＵＥのコンテキスト情報を確立しなくてよい。
【０１１３】
任意選択で、第１のネットワーク側装置は、コアネットワーク装置へ、例えば、モビリティ管理エンティティ（Ｍｏｂｉｌｉｔｙ  Ｍａｎａｇｅｍｅｎｔ  Ｅｎｔｉｔｙ、ＭＭＥ）へ、ＵＥのコンテキスト情報を送信して、コアネットワーク装置がＵＥのコンテキスト情報を記憶するようにしてよい。
【０１１４】
例えば、第１のネットワーク側装置は、Ｘ２インターフェースを使用することにより、リスト内のネットワーク側装置へＵＥのコンテキスト情報を送信してもよいし、Ｓ１インターフェースを介してコアネットワーク装置を使用することにより、リスト内のネットワーク側装置へＵＥのコンテキスト情報を送信してもよい。このことは、本発明において限定されない。
【０１１５】
任意選択で、第１のネットワーク側装置および／またはリスト内のネットワーク側装置により記憶されるＵＥのコンテキスト情報が、設定された時間の長さに達するとき、すなわち、ＵＥのコンテキスト情報が記憶されないときは、第１のネットワーク側装置および／またはリスト内のネットワーク側装置は、ＵＥのコンテキスト情報を解放してよい。
【０１１６】
第１のネットワーク側装置およびリスト内のネットワーク側装置が、同一のネットワーク側装置であってよいことは理解される。この場合、本ステップは、ネットワーク側の内部に実装される。
【０１１７】
このステップは任意選択である。
【０１１８】
従来技術においては、セルが変化する場合、接続状態にあるＵＥが、セルハンドオーバを行う。このように、従来技術と比較すると、本発明では、ＵＥは、設定情報を受信したときに中間状態にあり得、セルが変化する場合、ＵＥは、セル再選択を行う必要があるため、ネットワーク側との間のシグナリング交換を回避し、かつシグナリングオーバーヘッドを低減するようにし、ＵＥのコンテキスト情報が記憶されるため、接続状態に復元されたときに、ＵＥはネットワーク側と間でＵＥのコンテキスト情報を確立する必要がなく、シグナリングオーバーヘッドをさらに低減する。
【０１１９】
さらに、ＵＥが中間状態にある場合、ＵＥがデータを伝送する、トラッキングエリア更新（Ｔｒａｃｋｉｎｇ  Ａｒｅａ  Ｕｐｄａｔｅ、ＴＡＵ）を行う、などの必要があるときは、ＵＥは、中間状態から接続状態に復元される必要がある。
【０１２０】
例えば、中間状態にあるＵＥが、第２のネットワーク側装置へ送信される必要があるアップリンクデータが存在すると判定するときは、ＵＥは接続状態に復元される必要がある。詳細には、例えば、パケットデータ統合プロトコル（Ｐａｃｋｅｔ  Ｄａｔａ  Ｃｏｎｖｅｒｇｅｎｃｅ  Ｐｒｏｔｏｃｏｌ、ＰＤＣＰ）層に達するデータが存在するときは、ＰＤＣＰ層を使用することにより、ＲＲＣ層に通知されてもよく、または、インターネットプロトコル（Ｉｎｔｅｒｎｅｔ  Ｐｒｏｔｏｃｏｌ、ＩＰ）層に達するデータが存在するときは、ＩＰ層によりＲＲＣ層に通知されてもよいため、ＲＲＣ層がネットワーク側に接続されて、ＵＥを接続状態に復元する。
【０１２１】
あるいは、中間状態にあるＵＥが、受信される必要があるダウンリンクデータが存在すると判定するときは、中間状態にあるＵＥは、中間状態から接続状態に復元される必要がある。例えば、ＵＥは、ネットワーク側装置によって送信されるページングメッセージを受信したときは、接続状態に復元される。
【０１２２】
あるいは、中間状態にあるＵＥが、トラッキングエリア更新（Ｔｒａｃｋｉｎｇ  Ａｒｅａ  Ｕｐｄａｔｅ、ＴＡＵ）を行う必要があるときは、中間状態にあるＵＥは、接続状態に復元される必要がある。例えば、ＴＡＵが周期的に行われるとき、または、トラッキングエリア識別（Ｔｒａｃｋｉｎｇ  Ａｒｅａ  Ｉｄｅｎｔｉｔｙ、ＴＡＩ）が、ＵＥが登録を行うときに取得されるＴＡリスト内にないときは、ＴＡＵプログラムが実行される必要がある。
【０１２３】
あるいは、予めセットした時間の長さの間、中間状態にあるときは、ＵＥは接続状態に復元される。
【０１２４】
あるいは、ＵＥが現在配置されるセルが、ネットワーク側装置によって送信されるリスト内にない、などのときは、ＵＥは接続状態に復元される。
【０１２５】
前述のステップ４０１から４０５に基づき、図５に示されるように、方法は以下のステップをさらに含む。
【０１２６】
５０１．ＵＥは接続状態に復元される必要がある、と判定される場合に、中間状態にあるＵＥは、現在のサービングセルに対応する第２のネットワーク側装置へ、ＲＲＣ再開要求（ＲＲＣ  Ｒｅｓｕｍｅ  Ｒｅｑｕｅｓｔ）メッセージを送信する。
【０１２７】
ＲＲＣ再開要求メッセージは第１のセル情報を含む。詳細には、ＵＥのセルが変化しない場合、第２のネットワーク側装置は、第１のネットワーク側装置と同一であり、ＲＲＣ再開要求メッセージに含まれる第１のセル情報は、第２のネットワーク側装置または第１のネットワーク側装置のセル情報であり得る。あるいは、ＵＥのセルが変化し、ＵＥがリスト内の第２のネットワーク側装置のセルに移動する場合、第１のネットワーク側装置は第２のネットワーク側装置とは異なり、ＲＲＣ再開要求メッセージに含まれるセル情報は、第１のネットワーク側装置のセル情報であり得、詳細には、ＵＥへ設定情報を送信したサービングセルであり得る。ＵＥのセルが変化しないとき、ＲＲＣ再開要求メッセージが第１のセル情報を含まなくてよいことは理解される。
【０１２８】
加えて、ＲＲＣ再開要求メッセージは、ＵＥに対応するＣ−ＲＮＴＩをさらに含んでよい。Ｃ−ＲＮＴＩは、ＵＥへ設定情報を送信する第１のネットワーク側装置によって送信されてもよいし、第１のネットワーク側装置から設定情報を受信する第２のネットワーク側装置によって、ＵＥに割り当てられて、第１のネットワーク側装置を使用することにより送信されてもよい。ＵＥのセルが変化しないとき、ＲＲＣ再開要求メッセージが第１のセル情報および／またはＵＥに対応するＣ−ＲＮＴＩを含まなくてよいことは理解される。
【０１２９】
ＲＲＣ再開要求メッセージは、ＵＥを接続状態に復元することを要求するための指示情報をさらに含んでよい。例えば、指示情報は、ＲＲＣ再開要求メッセージのメッセージタイプ値を使用することにより指示を行ってよく、このタイプは、ＵＥが接続状態に復元されることを要求することを示す。あるいは、指示情報は、ＲＲＣ再開要求メッセージで搬送される原因値を使用することにより指示を行ってよく、原因値は、ＵＥが接続状態に復元される必要があることを示す。あるいは、指示情報は、ＲＲＣ再開要求メッセージのＭＡＣヘッダ内の論理信号識別子（Ｌｏｇｉｃａｌ  Ｃｈａｎｎｅｌ  Ｉｄｅｎｔｉｔｙ、ＬＣＩＤ）を使用することにより、搬送されてよい。このことは、本発明において限定されない。
【０１３０】
任意選択で、セキュリティパラメータを使用することにより、ＲＲＣ再開要求メッセージに対して暗号化および／または完全性保護が行われてよい。セキュリティパラメータは、第１のネットワーク側装置によりＵＥに対して設定されて、ＵＥへ送信され、または、セキュリティパラメータは、第２のネットワーク側装置によりＵＥに対して設定され、第１のネットワーク側装置を使用することによりＵＥへ送信される。さらに、任意選択で、ＲＲＣ再開要求メッセージは、第１のネットワーク側装置とＵＥとの間で確立されるＳＲＢ１を使用することにより、送信されてよい。
【０１３１】
５０２．ＲＲＣ再開要求メッセージを受信した後、第２のネットワーク側装置はＵＥのコンテキスト情報を取得する。
【０１３２】
詳細には、第２のネットワーク側装置は、最初に、第２のネットワーク側装置自身がＵＥのコンテキスト情報を記憶しているかどうかを判定し得る。第２のネットワーク側装置がＵＥのコンテキスト情報を記憶している場合、第２のネットワーク側装置は、第２のネットワーク側装置自身からコンテキスト情報を直接取得し得る。この場合、第２のネットワーク側装置と第１のネットワーク側装置とは、同一の装置であり得る。すなわち、ＵＥのセルは変化せず、または、第２のネットワーク側装置が、リスト内の任意のネットワーク側装置であり得る。第２のネットワーク側装置がＵＥのコンテキスト情報を記憶していない場合、第２のネットワーク側装置は、第１のネットワーク側装置に、コンテキスト情報を要求してよい。例えば、第１のネットワーク側装置が第２のネットワーク側装置にＵＥのコンテキスト情報を通知する前に、ＵＥは接続状態に復元される必要があることが考えられる。例えば、第２のネットワーク側装置は、Ｘ２インターフェースを使用してＵＥのコンテキスト情報を取得することにより、第１のネットワーク側装置へ、要求メッセージを取得するコンテキストを送信してよい。メッセージは、ＵＥのＣ−ＲＮＴＩを搬送し得る。任意選択で、ＵＥのコンテキスト情報は、Ｓ１インターフェースを使用することにより第２のネットワーク側装置によって、コアネットワーク装置に要求することにより取得されてよい。
【０１３３】
任意選択で、第１のネットワーク側装置は、第２のネットワーク側装置へＵＥのコンテキスト情報を送信した後に、ＵＥのコンテキスト情報を解放してよい。
【０１３４】
第２のネットワーク側装置の別の挙動が、以下を含むことは理解される。第２のネットワーク側装置は、ＵＥのＲＲＣ接続再開要求メッセージを拒否してもよく、詳細には、ＵＥへＲＲＣ接続再開拒否メッセージを送信してもよい。
【０１３５】
さらに、任意選択で、第２のネットワーク側装置は、第１のネットワーク側装置にＵＥのコンテキスト情報を解放するように命令する。
【０１３６】
さらに、任意選択で、ＵＥは、ＲＲＣ接続再開拒否メッセージを受信した後、アイドル状態に戻る。
【０１３７】
５０３．ＵＥのコンテキスト情報を取得した後、第２のネットワーク側装置は、ＵＥへＲＲＣ接続再開確認メッセージを送信する。
【０１３８】
任意選択で、ＲＲＣ接続再開確認メッセージは、ＵＥのコンテキスト情報内の変更されたパラメータ、例えば、新しく加えられたパラメータ、削除されたパラメータ、または修正されたパラメータを含んでよい。変更されないパラメータは、ＲＲＣ接続再開確認メッセージで搬送されなくてよい。あるいは、ＲＲＣ接続再開確認メッセージは、変更されたパラメータと変更されないパラメータの両方を含む、ＵＥのコンテキスト情報の全てのパラメータを含んでよい。
【０１３９】
ＲＲＣ接続再開確認メッセージは、ＳＲＢ１を使用することにより伝送されてもよく、例えば、第１のネットワーク側装置とＵＥとの間で確立されるＳＲＢ１のパラメータを使用してもよい。
【０１４０】
５０４．第２のネットワーク側装置によって送信されるＲＲＣ接続再開確認メッセージを受信した後、ＵＥは、第２のネットワーク側装置へＲＲＣ接続再開完了メッセージを送信する。
【０１４１】
このステップは任意選択である。
【０１４２】
さらに、任意選択で、第２のネットワーク側装置は、コアネットワーク装置へパス切替要求メッセージを送信してよい。パス切替要求は、第１のネットワーク側装置とコアネットワーク装置との間のパスから第２のネットワーク側装置とコアネットワーク装置との間のパスへ、データチャネルを切り替えることをコアネットワーク装置に要求するために使用されて、ＵＥが現在配置されるサービングセルのネットワーク側装置が、第２のネットワーク側装置であることを、コアネットワークが学習する。さらに、コアネットワーク装置は、第２のネットワーク側装置へパス切替確認メッセージを送信する。このようにして、データ伝送が、ＵＥと、第２のネットワーク側装置と、コアネットワーク装置との間で行われることが可能である。
【０１４３】
さらに、任意選択で、パス切替の後、第２のネットワーク側装置が、第１のネットワーク側装置に、ＵＥのコンテキスト情報を解放するように命令し、または、コアネットワーク装置が、第１のネットワーク側装置に、ＵＥのコンテキスト情報を解放するように命令する。
【０１４４】
さらに、第１のネットワーク側装置のセルリスト内のネットワーク側装置は、ＵＥのコンテキスト情報を解放する。
【０１４５】
従来技術においては、ＵＥがアイドル状態にあるとき、ＵＥのコンテキスト情報が解放される。ＵＥが、接続状態に復元される必要がある場合、ＵＥのコンテキスト情報は再確立される必要がある。ＵＥおよびネットワーク側は、複数の時間、シグナリング伝送を行う必要がある。これが、長いデータ伝送遅延を引き起こす。従来技術におけるＵＥがアイドル状態から接続状態に復元されるプロセスと比較すると、本発明では、ＵＥが中間状態から接続状態に復元される場合、ＵＥはネットワーク側装置へＲＲＣ再開要求メッセージを送信し、ネットワーク側装置によって送信されるＲＲＣ接続再開確認メッセージを受信し、そして、ＵＥは、ネットワーク側装置へＲＲＣ接続再開完了メッセージを送信するため、ＵＥは、中間状態から接続状態に復元され、さらにデータを送信することができる。このようにして、ＲＲＣ接続再開プロセスにおいてシグナリングオーバーヘッドが低減され、データ伝送遅延が短縮される。
【０１４６】
その上、ＵＥが中間状態にあるとき、シグナリングおよびデータ伝送処理の方法は、以下の通りであってよい。
【０１４７】
図６に示されるように、ネットワーク側装置へ送信される必要があるアップリンクデータが存在するとき、または、ＴＡＵが行われる必要があるとき、方法は以下のステップをさらに含んでよい。
【０１４８】
６０１．ＵＥは、セルが変化するかどうかを判定し、ステップ６０２またはステップ６０３に進む。
【０１４９】
例えば、ＵＥのセルが変化しないときは、第２のネットワーク側装置は第１のネットワーク側装置と同一であり、または、ＵＥが配置されるセルが変化するときは、第２のネットワーク側装置は、第１のネットワーク側装置と同一であってもよいし、異なってもよい。
【０１５０】
ネットワーク側装置が、複数のセルを同時に管理できるときは、ＵＥのセルが変化しても、ＵＥはネットワーク側装置と同一であり得ることは理解される。すなわち、この場合、ＵＥが配置される第２のネットワーク側装置は、第１のネットワーク側装置と同一である。このことは、本発明において限定されない。
【０１５１】
このステップは任意選択である。すなわち、セルが変化するかどうかに関わらず、ステップ６０３が直接行われる。
【０１５２】
６０２．セルが変化しないとき、ＵＥは、第２のネットワーク側装置へアップリンクスケジューリング要求またはランダムアクセス要求を送信して、第２のネットワーク側装置にアップリンクリソースを要求し、アップリンクリソースに従って第２のネットワーク側装置へアップリンクデータを送信する。
【０１５３】
セルが変化しない場合、ステップ４０１の説明に従って、ＵＥは、第１のネットワーク側装置（第２のネットワーク側装置）へのＲＲＣ接続をまだ有しており、中間状態にあるＵＥが、第１のネットワーク側装置に、アップリンクリソースを直接要求して、第１のネットワーク側装置へ、バッファステータスレポートおよび／またはアップリンクデータを送信し得る。任意選択で、ＵＥは、スケジューリング要求またはランダムアクセス要求を使用することを維持して、第２のネットワーク側装置にアップリンクリソースを要求し、アップリンクリソースに従って、第２のネットワーク側装置へアップリンクデータを送信する。
【０１５４】
あるいは、
６０３．セルが変化するとき、ＵＥが接続状態に復元された後に、ＵＥは、第２のネットワーク側装置へアップリンクデータを送信する。
【０１５５】
詳細には、セルが変化する場合、すなわち、第１のネットワーク側装置が、ＵＥが現在配置される第２のネットワーク側装置とは異なるときは、ＵＥが第２のネットワーク側装置へのＲＲＣ接続を確立しないため、ＵＥはまず前述のステップ５０１から５０４を行い、ついで、第２のネットワーク側装置へ、アップリンクスケジューリング要求またはランダムアクセス要求を送信して、第２のネットワーク側装置にアップリンクリソースを要求し、アップリンクリソースに従って、第２のネットワーク側装置へ、アップリンクデータを送信する。あるいは、ＵＥが接続状態になった後に、第２のネットワーク側装置が、アップリンクリソースをＵＥに直接割り当てることが考えられる。この場合、ＵＥは、第２のネットワーク側装置へ、アップリンクスケジューリング要求またはランダムアクセス要求を送信する必要がない。
【０１５６】
以下では、データ送信の特定の実装を説明する。
【０１５７】
図７ａ−１および図７ａ−２に示されるように、ネットワーク側装置からＵＥによって受信される必要があるダウンリンクデータが存在するとき、方法は以下のステップをさらに含んでよい。
【０１５８】
７０１．コアネットワークに達したダウンリンクデータがあるとき、コアネットワーク装置は、コアネットワーク装置が中間状態にあるＵＥのコンテキスト情報を記憶するかどうかを判定し、コアネットワーク装置が、中間状態にあるＵＥのコンテキスト情報を記憶する場合は、ステップ７０２から７０９が行われ、コアネットワーク装置が、中間状態にあるＵＥのコンテキスト情報を記憶しない場合は、ステップ７１０から７２０が行われる。
【０１５９】
詳細には、中間状態にあるＵＥのコンテキスト情報は、
中間状態にあるＵＥの指示情報、および
中間状態にあるＵＥのセルリストまたはネットワーク側装置リスト情報
のうちの少なくとも１つを含んでよい。
【０１６０】
コアネットワークに達するダウンリンクデータが存在するとき、第１のネットワーク側装置は、コアネットワーク装置へ、中間状態にあるＵＥのコンテキスト情報を既に送信していることがあり、コアネットワーク装置は、ＵＥが中間状態にあることを確認する。第１のネットワーク側装置が、コアネットワーク装置へ、中間状態にあるＵＥのコンテキスト情報を送信する前に、コアネットワーク装置に達するダウンリンクデータが存在することも考えられる。あるいは、プロトコルまたはコアネットワーク装置は中間状態にあるＵＥをサポートせず、確実に、中間状態にあるＵＥのコンテキスト情報が存在しない。
【０１６１】
このステップが任意選択であることは理解される。詳細には、コアネットワーク装置は、ＵＥが接続状態にあるのか、アイドル状態にあるのかを判定するだけである。ＵＥが接続状態にある場合、ステップ８１０から７２０が行われる。あるいは、ＵＥがアイドル状態にある場合、従来技術における、ＵＥがアイドル状態にあるときのダウンリンクデータを処理するための方法が行われる。このことは、本発明において限定されない。
【０１６２】
７０２．コアネットワーク装置は、リスト内の少なくとも１つのネットワーク側装置へページングメッセージを送信する。
【０１６３】
コアネットワーク装置は、ＵＥが中間状態にあることを確認するので、コアネットワーク装置は、ＵＥが第１のネットワーク側装置へのＲＲＣ接続を確立することを学習する。しかし、コアネットワーク装置は、ＵＥのセルが変化するかどうか、または、ＵＥがどのセルに移動するのか、を学習しない。したがって、コアネットワーク装置は、リスト内の少なくとも１つのネットワーク側装置へ、ページングメッセージを送信して、ＵＥが現在配置されるセルの位置を取得する必要がある。
【０１６４】
詳細には、ページングメッセージは、
−ＵＥ識別情報、これは、テンポラリ移動加入者識別（Ｓ−Ｔｅｍｐｏｒａｒｙ  Ｍｏｂｉｌｅ  Ｓｕｂｓｃｒｉｂｅｒ  Ｉｄｅｎｔｉｔｙ、Ｓ−ＴＭＳＩ）の全てまたは一部、またはＣ−ＲＮＴＩであってよい、
−リスト内のいくつかまたは全てのセルについての情報、および
−中間状態にあるＵＥの指示情報
のうちの少なくとも１つを含んでよい。
【０１６５】
７０３．ページングメッセージを受信した後、少なくとも１つのネットワーク側装置は、少なくとも１つのネットワーク側装置にそれぞれ対応するセル内のＵＥへ、ページングメッセージを送信する。
【０１６６】
詳細には、少なくとも１つのネットワーク側装置は、ページングメッセージに含まれるリスト内のセル、または、取得されたＵＥのコンテキスト情報に含まれるリスト内のセルにおいて、ＵＥへページングメッセージを送信する。
【０１６７】
７０４．ページングメッセージを受信した後、ＵＥは、ＵＥが配置されるセルが変化するかどうかを判定し、セルが変化しない場合は、ステップ７０５が行われ、セルが変化する場合はステップ７０７が行われる。
【０１６８】
このステップは任意選択である。すなわち、セルが変化するかどうかに関わらず、ステップ７０７が行われる。
【０１６９】
７０５．セルが変化しない場合、ＵＥは、第１のネットワーク側装置へスケジューリング要求またはランダムアクセス要求を送信して、アップリンクリソースを要求し、アップリンクリソースに従って、第１のネットワーク側装置へ、バッファステータスレポートおよび／またはページング応答を送信する。
【０１７０】
７０６．第１のネットワーク側装置は、コアネットワーク装置へページング応答を送信し、ステップ７０９へ進む。
【０１７１】
７０７．セルが変化する場合、ＵＥが接続状態に復元された後に、ＵＥは、第２のネットワーク側装置へ、バッファステータスレポートおよび／またはページング応答を送信する。
【０１７２】
７０８．第２のネットワーク側装置は、コアネットワーク装置へページング応答を送信する。
【０１７３】
さらに、任意選択で、第２のネットワーク側装置は、コアネットワーク装置へパス切替要求メッセージを送信してよい。パス切替要求は、第１のネットワーク側装置とコアネットワーク装置との間のパスから第２のネットワーク側装置とコアネットワーク装置との間のパスへ、データチャネルを切り替えることをコアネットワーク装置に要求するために使用されて、ＵＥが現在配置されるサービングセルのネットワーク側装置が、第２のネットワーク側装置であることを、コアネットワークが学習する。さらに、コアネットワーク装置は、第２のネットワーク側装置へパス切替確認メッセージを送信する。このようにして、データ伝送が、ＵＥと、第２のネットワーク側装置と、コアネットワーク装置との間で行われることが可能である。
【０１７４】
さらに、任意選択で、パス切替の後、第２のネットワーク側装置が、第１のネットワーク側装置に、ＵＥのコンテキスト情報を解放するように命令し、または、コアネットワーク装置が、第１のネットワーク側装置に、ＵＥのコンテキスト情報を解放するように命令する。
【０１７５】
さらに、第１のネットワーク側装置のセルリスト内のネットワーク側装置は、ＵＥのコンテキスト情報を解放する。
【０１７６】
７０９．コアネットワーク装置は、ＵＥへダウンリンクデータを送信する。
【０１７７】
詳細には、コアネットワーク装置は、まず、ＵＥがＲＲＣ接続に復元されるセルのネットワーク側装置へダウンリンクデータを送信する（例えば、ネットワーク側装置は、第１のネットワーク側装置であり得、または、第２のネットワーク側装置であり得る）。そして、ネットワーク側装置がＵＥへダウンリンクデータを送信する。
【０１７８】
７１０．コアネットワーク装置は、ＵＥの第１のセルが配置される第１のネットワーク側装置へ、ダウンリンクデータを送信する。
【０１７９】
第１のセルが配置される第１のネットワーク側装置は、本明細書では、ＵＥへ、リストを含む設定情報を送信するネットワーク側装置である。
【０１８０】
７１１．第１のセルが配置される第１のネットワーク側装置は、ＵＥへページングメッセージを送信する。
【０１８１】
７１２．第１のネットワーク側装置は、リスト内の少なくとも１つの第２のネットワーク側装置へ、ページングメッセージを送信する。
【０１８２】
詳細には、ページングメッセージは、Ｘ２インターフェースを使用することにより伝送されるか、Ｓ１インターフェースを介してコアネットワーク装置を使用することにより伝送される。このことは、本発明において限定されない。
【０１８３】
ページングメッセージを受信した後、リスト内の少なくとも１つの第２のネットワーク側装置が、ＵＥへページングメッセージを送信する。（これはステップ７０３と同様である。）
【０１８４】
さらに、任意選択で、第１のネットワーク側装置はリスト内の少なくとも１つの第２のネットワーク側装置へダウンリンクデータを送信する。
【０１８５】
７１３．ページングメッセージを受信した後、ＵＥは、ＵＥが配置されるセルが変化するかどうかを判定し、セルが変化しない場合は、ステップ７１４および７１５が行われ、セルが変化する場合はステップ７１６が行われる。
【０１８６】
このステップは任意選択である。すなわち、セルが変化するかどうかに関わらず、ステップ７０７が行われる。
【０１８７】
７１４．セルが変化しない場合、ＵＥは、第１のネットワーク側装置へスケジューリング要求またはランダムアクセス要求を送信して、アップリンクリソースを要求し、アップリンクリソースに従って、第１のネットワーク側装置へ、バッファステータスレポートおよび／またはページング応答を送信する。
【０１８８】
７１５．第１のネットワーク側装置が、ＵＥへダウンリンクデータを送信する。
【０１８９】
あるいは、
７１６．セルが変化する場合、ＵＥは、第２のネットワーク側装置への接続状態に復元される。
【０１９０】
さらに、任意選択で、ＵＥは、第２のネットワーク側装置へ、バッファステータスレポートおよび／またはページング応答を送信する。
【０１９１】
７１７．ＵＥが接続状態に復元されたことを検出した後、第２のネットワーク側装置は、第１のネットワーク側装置に通知する。
【０１９２】
このステップは任意選択である。
【０１９３】
このステップは、第１のネットワーク側装置と第２のネットワーク側装置とが同一の装置であるときは、行われないことが可能である。
【０１９４】
第２のネットワーク側装置が、第１のネットワーク側装置によって送信されるデータを既に受信しているときは、ステップ７１８が直接行われる。
【０１９５】
７１８．第１のネットワーク側装置は、第２のネットワーク側装置へダウンリンクデータを送信する。
【０１９６】
このステップは、第１のネットワーク側装置と第２のネットワーク側装置とが同一の装置であるときは、行われないことが可能である。
【０１９７】
７１９．第２のネットワーク側装置が、ＵＥへダウンリンクデータを送信する。
【０１９８】
７２０．第１のネットワーク側装置、および／または、ＵＥが復元されて接続された第２のネットワーク側装置以外の装置が、ＵＥのコンテキストを開放する。
【０１９９】
このステップは任意選択である。
【０２００】
図７ｂに示されるように、別の実装は以下の通りである。コアネットワーク装置が、ＵＥへダウンリンクデータを伝送する必要があるとき、コアネットワーク装置は、ＵＥが接続状態にあるのか、アイドル状態にあるのかを判定するだけであり、ＵＥが接続状態にあるときは、以下のステップが行われる。
【０２０１】
７２１．コアネットワーク装置が、ＵＥの第１のセルが配置されるネットワーク側装置へ、ダウンリンクデータを送信する。
【０２０２】
コアネットワーク装置が、コアネットワーク装置は中間状態にあるＵＥのコンテキスト情報を記憶する必要がない、と判定するとき、ＵＥはアイドル状態にあり得、または、中間状態にあり得るが、ネットワーク側装置がコアネットワーク装置へ中間状態にあるＵＥのコンテキスト情報をまだ送信していない、または、接続状態にあり得る。ＵＥがアイドル状態にあり、ダウンリンクデータを伝送する必要があるとき、従来技術と同じ方法が行われる。ＵＥが中間状態にあり、ダウンリンクデータを送信する必要があるとき、コアネットワーク装置は、まず、ＵＥの第１のセルが配置されるネットワーク側装置へ、ダウンリンクデータを送信する。この場合、ＵＥの現在のサービングセルが配置されるネットワーク側装置は、ＵＥのセルが変化する前の第１のネットワーク側装置であり得、または、ＵＥのセルが変化するときの第２のネットワーク側装置であり得る。
【０２０３】
７２３．第１のセルが配置されるネットワーク側装置は、ＵＥがＲＲＣ接続状態にあるのか、および／または、ＲＲＣ中間状態にあるのかを判定し、ステップ７２４またはステップ７２５に進む。
【０２０４】
７２４．ＵＥがＲＲＣ接続状態にある場合、第１のセルが配置されるネットワーク側装置は、ＵＥへダウンリンクデータを送信する。
【０２０５】
７２５．ＵＥがＲＲＣ接続状態にない場合、ＵＥの現在のサービングセルが配置されるネットワーク側装置は、ＵＥへページングメッセージを送信する。
【０２０６】
ページングメッセージは、ＵＥのコンテキスト情報を含んでよい。そして、ステップ７０４から７０９が行われてよい。
【０２０７】
本発明の実施形態において、例えば、ＵＥが配置されるセルが変化しないとき、第２のネットワーク側装置は第１のネットワーク側装置と同一である。ＵＥが配置されるセルが変化するとき、第２のネットワーク側装置は、第１のネットワーク側装置とは異なり得る。
【０２０８】
ネットワーク側装置が、複数のセルを同時に管理できるときは、ＵＥのセルが変化しても、ＵＥはネットワーク側装置と同一であり得ることは理解される。すなわち、この場合、ＵＥが配置される第２のネットワーク側装置は、第１のネットワーク側装置と同一である。このことは、本発明において限定されない。
【０２０９】
前述の説明を使用することにより、本発明および従来技術における、コアネットワークでのダウンリンクデータ処理の比較は、表１にて示され得る。表１は、ネットワーク側装置によってダウンリンクデータを処理するための異なる方法を示す。
【０２１０】
【表１】
0006637056.tif 000002
【０２１１】
本発明の本実施形態は、シグナリング最適化の方法を提供する。ＵＥが、ネットワーク側装置への接続を確立して接続状態になるとき、ネットワーク側装置によって送信される設定情報が受信され、かつ、設定情報がセルリストまたは基地局リストを含む場合、ＵＥがＵＥのコンテキスト情報を記憶するときは、ＵＥは接続状態から中間状態へ切り替える。中間状態とは、もしＵＥが移動し、かつセル移動範囲がリスト内にある場合に、ネットワーク側装置に通知することを必要とせずに、ＵＥがセル再選択を行う状態を意味する。伝送される必要があるデータが存在する、またはＴＡＵが行われることが必要であるという理由で、接続状態にあるＵＥが接続状態に復元される必要がある場合、ＵＥは、ネットワーク側との間でＵＥのコンテキスト情報を確立する必要がない。ＵＥがアイドル状態から接続状態へ切り替える場合と比較すると、シグナリングが低減され、ＵＥのデータ伝送遅延が短縮され、ＵＥがネットワーク側にアクセスする際の重いシグナリングオーバーヘッドおよび長いデータ伝送遅延という問題が解決される。
【０２１２】
本発明の実施形態は、ユーザ装置８０を提供する。図８に示されるように、ユーザ装置８０は、
第１のネットワーク側装置によって送信される設定情報を受信するように構成される受信ユニット８０１であって、設定情報はリストを含み、リストはセルリストまたは基地局リストである、受信ユニット８０１と、
設定情報に従って中間状態に入るように構成される処理ユニット８０２であって、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する、処理ユニット８０２と
を含む。
【０２１３】
任意選択で、中間状態とは、ＵＥのセル移動範囲が、リストに含まれるセルまたは基地局のカバレッジ領域外にある場合に、ＵＥが、ＵＥの現在のサービングセルが配置されるネットワーク側装置へ通知メッセージを送信して、ＵＥが、中間状態から接続状態に復元されるか、またはアイドル状態に戻り、かつ、現在のサービングセルが配置されるネットワーク側装置が、第１のネットワーク側装置、またはＵＥがセル再選択を行った後の第２のネットワーク側装置となるようにすることをさらに意味する。
【０２１４】
任意選択で、設定情報は、第１のネットワーク側装置が、ＵＥに、設定情報に従って中間状態に入るように命令する際の条件をさらに含み、条件は、直ちに中間状態に入ること、または予めセットした時間の後にアイドル状態に入ることを含み、および／または
設定情報は、第１のネットワーク側装置が、ＵＥに、設定情報に従って中間状態に入るように命令する期間、および／または、ＵＥが、期間中に設定情報に従って中間状態に入った後に、行われる動作命令をさらに含み、動作命令は、ＵＥにアイドル状態に入るように命令する、および／または、ＵＥに、第１のネットワーク側装置にＵＥの現在位置情報を通知するように命令する、ために使用される。
【０２１５】
任意選択で、設定情報は、セル再選択をＵＥにより行うためのセル再選択パラメータをさらに含む。
【０２１６】
任意選択で、設定情報は、第１のネットワーク側装置により無線リソース制御ＲＲＣメッセージで搬送され、ＲＲＣメッセージは、ＲＲＣ接続確立メッセージ、ＲＲＣ再設定メッセージ、またはＲＲＣ接続解放メッセージを含む。
【０２１７】
任意選択で、処理ユニット８０２がセル再選択を行うように構成されるプロセスにおいて、ＵＥがネットワーク側へアップリンクデータを送信する必要がある、および／または、ネットワーク側からダウンリンクデータを受信する必要があるという判定がなされるとき、処理ユニット８０２は、ＵＥ８０を接続状態に復元するようにさらに構成される。
【０２１８】
ＵＥ８０は、接続状態に復元されたネットワーク側装置へ、アップリンクデータを送信するように構成される送信ユニット８０３、および／または、接続状態に復元されたネットワーク側装置から、ダウンリンクデータを受信するように構成される受信ユニットをさらに備える。接続状態に復元されたネットワーク側装置は、第１のネットワーク側装置または第２のネットワーク側装置を含む。
【０２１９】
任意選択で、処理ユニット８０２は、
ＵＥのセルが変化しない場合、送信ユニット８０３を使用することにより、第１のネットワーク側装置へ、スケジューリング要求またはランダムアクセス要求を送信して、ＵＥ８０を接続状態に復元するように特に構成されてよい。
【０２２０】
任意選択で、送信ユニット８０３は、第１のネットワーク側装置または第２のネットワーク側装置へ、ＲＲＣ再開要求メッセージを送信するようにさらに構成されてよい。ＲＲＣ再開確認メッセージは、ＵＥに、接続状態に復元されることを命令するために使用される。
【０２２１】
受信ユニット８０１は、第１のネットワーク側装置または第２のネットワーク側装置によって送信されるＲＲＣ再開確認メッセージを受信するようにさらに構成されてよい。ＲＲＣ再開確認メッセージは、第１のネットワーク側装置または第２のネットワーク側装置により、ＵＥのコンテキスト情報を拡張、削除、または修正するためのパラメータを含む。
【０２２２】
送信ユニット８０３は、第１のネットワーク側装置または第２のネットワーク側装置へ、ＲＲＣ接続再開完了メッセージを送信するようにさらに構成されてよい。
【０２２３】
本発明の本実施形態は、ユーザ装置を提供する。ユーザ装置は、第１のネットワーク側装置によって送信される設定情報を受信するように構成され、設定情報はリストを含み、リストはセルリストまたは基地局リストであり；また、設定情報に従って中間状態に入るように構成され、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する。このようにして、ＵＥのセルが変化するときは、セルハンドオーバが行われない。代わりに、ＵＥがコンテキスト情報を記憶するときに、セル再選択が行われ、ＵＥおよびネットワーク側のシグナリングオーバーヘッドを低減し、データ伝送遅延を短縮する。
【０２２４】
本発明の実施形態は、第１のネットワーク側装置９０を提供する。図９に示されるように、第１のネットワーク側装置９０は、
ユーザ装置ＵＥへ設定情報を送信するように構成される送信ユニット９０１を備え、設定情報はリストを含み、リストはセルリストまたは基地局リストであり、設定情報は、ＵＥに中間状態に入るように命令するために使用され、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する。
【０２２５】
送信ユニット９０１は、リスト内のネットワーク側装置へ、ＵＥのコンテキスト情報を送信するようにさらに構成される。
【０２２６】
任意選択で、ＵＥが中間状態に入った後、ＵＥが移動し、かつセル移動範囲が、リストに含まれるセルまたは基地局のカバレッジ領域外にある場合に、ＵＥが、ＵＥの現在のサービングセルが配置されるネットワーク側装置へ通知メッセージを送信して、ＵＥが、中間状態から接続状態に復元されるか、またはアイドル状態に戻り、かつ、現在のサービングセルが配置されるネットワーク側装置が、第１のネットワーク側装置、またはＵＥがセル再選択を行った後の第２のネットワーク側装置となるようにすることを示すために、設定情報がさらに使用される。
【０２２７】
任意選択で、設定情報は、第１のネットワーク側装置が、ＵＥに、設定情報に従って中間状態に入るように命令する際の条件をさらに含み、条件は、直ちに中間状態に入ること、または予めセットした時間の後に中間状態に入ることを含み、および／または
設定情報は、第１のネットワーク側装置が、ＵＥに、設定情報に従って中間状態に入るように命令する期間、および／または、ＵＥが、期間中に設定情報に従って中間状態に入った後に、行われる動作命令をさらに含み、動作命令は、ＵＥにアイドル状態に入るように命令する、および／または、ＵＥに、第１のネットワーク側装置にＵＥの現在位置情報を通知するように命令する、ために使用される。
【０２２８】
任意選択で、設定情報は、セル再選択をＵＥにより行うためのセル再選択パラメータをさらに含む。
【０２２９】
任意選択で、送信ユニット９０１は、
無線リソース制御ＲＲＣメッセージを使用することにより、ＵＥへ設定情報を送信するように特に構成されてよく、ＲＲＣメッセージは、ＲＲＣ再設定メッセージまたはＲＲＣ接続解放メッセージを含む。
【０２３０】
任意選択で、送信ユニット９０１は、コアネットワーク装置へＵＥのコンテキスト情報を送信するようにさらに構成されてよい。
【０２３１】
第１のネットワーク側装置９０は、第１のネットワーク側装置９０が、予めセットした時間の間、ＵＥのコンテキスト情報を記憶するときに、ＵＥのコンテキスト情報を解放するように構成される処理ユニット９０２をさらに備えてよい。
【０２３２】
任意選択で、第１のネットワーク側装置９０は、ＵＥによって送信されるＲＲＣ再開要求メッセージを受信するように構成される受信ユニット９０３をさらに含んでよい。再開要求メッセージは、第１のネットワーク側装置のセル情報、ＵＥのセル無線ネットワークテンポラリ識別Ｃ−ＲＮＴＩ、またはＵＥを接続状態に復元することを要求するための指示情報のうちの少なくとも１つを含む。
【０２３３】
送信ユニット９０１は、ＵＥへＲＲＣ再開確認メッセージを送信するようにさらに構成される。ＲＲＣ再開確認メッセージは、第１のネットワーク側装置により、ＵＥのコンテキスト情報を拡張、削除、または修正するためのパラメータを含む。
【０２３４】
受信ユニット９０３は、ＵＥによって送信されるＲＲＣ接続再開完了メッセージを受信するようにさらに構成されてよい。
【０２３５】
任意選択で、受信ユニット９０３は、ＵＥによって送信されるアップリンクスケジューリング要求またはランダムアクセス要求を受信するようにさらに構成される。
【０２３６】
送信ユニット９０１は、ＵＥへアップリンクリソースを送信するようにさらに構成される。アップリンクリソースは、第１のネットワーク側装置へアップリンクデータを送信するために、またはアップリンクリソースに従って第１のネットワーク側装置からダウンリンクデータを受信するために、ＵＥにより使用される。
【０２３７】
本発明の本実施形態は、第１のネットワーク側装置を提供する。第１のネットワーク側装置は、ユーザ装置ＵＥへ設定情報を送信するように構成され、設定情報はリストを含み、リストはセルリストまたは基地局リストであり、設定情報は、ＵＥに中間状態に入るように命令するために使用され、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行うことができる状態を意味し；また、リスト内のネットワーク側装置へ、ＵＥのコンテキスト情報を送信するようにさらに構成される。このようにして、中間状態にあるＵＥのセルが変化するときは、セルハンドオーバが行われない。代わりに、セル再選択プロセスが行われ、ＵＥおよびネットワーク側のシグナリングオーバーヘッドを低減し、データ伝送遅延を短縮する。
【０２３８】
本発明の実施形態は、ユーザ装置１００を提供する。図１０に示されるように、ユーザ装置１００は、バス１００１と、バス１００１に接続されるトランスミッタ１００３、レシーバ１００４、プロセッサ１００２、およびメモリ１００５と、を含む。メモリ１００５は、命令およびデータを記憶するように構成される。レシーバ１００４は、命令を実行して、第１のネットワーク側装置によって送信される設定情報を受信する。設定情報はリストを含む。リストは、セルリストまたは基地局リストである。プロセッサ１００２は、命令を実行して、設定情報に従って中間状態に入る。中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する。
【０２３９】
本発明の本実施形態において、任意選択で、中間状態とは、ＵＥのセル移動範囲が、リストに含まれるセルまたは基地局のカバレッジ領域外にある場合に、ＵＥが、ＵＥの現在のサービングセルが配置されるネットワーク側装置へ通知メッセージを送信して、ＵＥが、中間状態から接続状態に復元されるか、またはアイドル状態に戻るようにする、ことをさらに意味する。現在のサービングセルが配置されるネットワーク側装置は、第１のネットワーク側装置、またはＵＥがセル再選択を行った後の第２のネットワーク側装置である。
【０２４０】
本発明の本実施形態において、任意選択で、設定情報は、第１のネットワーク側装置が、ＵＥに、設定情報に従って中間状態に入るように命令する際の条件をさらに含み、条件は、直ちに中間状態に入ること、または予めセットした時間の後にアイドル状態に入ることを含み、および／または
設定情報は、第１のネットワーク側装置が、ＵＥに、設定情報に従って中間状態に入るように命令する期間、および／または、ＵＥが、期間中に設定情報に従って中間状態に入った後に、行われる動作命令をさらに含み、動作命令は、ＵＥにアイドル状態に入るように命令する、および／または、ＵＥに、第１のネットワーク側装置にＵＥの現在位置情報を通知するように命令する、ために使用される。
【０２４１】
本発明の本実施形態において、任意選択で、設定情報は、セル再選択をＵＥにより行うためのセル再選択パラメータをさらに含む。
【０２４２】
本発明の本実施形態において、任意選択で、設定情報は、第１のネットワーク側装置により無線リソース制御ＲＲＣメッセージで搬送され、ＲＲＣメッセージは、ＲＲＣ接続確立メッセージ、ＲＲＣ再設定メッセージ、またはＲＲＣ接続解放メッセージを含む。
【０２４３】
本発明の本実施形態において、任意選択で、処理ユニット１００２がセル再選択を行う命令を実行するプロセスにおいて、ＵＥ１００がネットワーク側へアップリンクデータを送信する必要がある、および／または、ネットワーク側からダウンリンクデータを受信する必要があるという判定がなされるとき、処理ユニット１００２は、ＵＥ１００を接続状態に復元するようにさらに構成される。
【０２４４】
トランスミッタ１００３は、接続状態に復元されたネットワーク側装置へ、アップリンクデータを送信する命令を実行し、および／または、レシーバ１００４は、接続状態に復元されたネットワーク側装置から、ダウンリンクデータを受信するように構成される。接続状態に復元されたネットワーク側装置は、第１のネットワーク側装置または第２のネットワーク側装置を含む。
【０２４５】
本発明の本実施形態において、任意選択で、トランスミッタ１００３は、
ＵＥのセルが変化しない場合、第１のネットワーク側装置へ、スケジューリング要求またはランダムアクセス要求を送信して、ＵＥ１００を接続状態に復元する命令
を実行する。
【０２４６】
本発明の本実施形態において、任意選択で、トランスミッタ１００３は、第１のネットワーク側装置または第２のネットワーク側装置へ、ＲＲＣ再開要求メッセージをさらに送信する命令を実行する。ＲＲＣ再開要求メッセージは、第１のネットワーク側装置のセル情報、ＵＥのセル無線ネットワークテンポラリ識別Ｃ−ＲＮＴＩ、またはＵＥを接続状態に復元することを要求するための指示情報のうちの少なくとも１つを含む。
【０２４７】
レシーバ１００４は、第１のネットワーク側装置または第２のネットワーク側装置によって送信されるＲＲＣ再開確認メッセージをさらに受信する命令を実行する。ＲＲＣ再開確認メッセージは、ＵＥが接続状態に復元されることを示すために使用される。
【０２４８】
トランスミッタ１００３は、第１のネットワーク側装置または第２のネットワーク側装置へ、ＲＲＣ接続再開完了メッセージをさらに送信する命令を実行する。
【０２４９】
本発明の本実施形態は、ユーザ装置を提供する。ユーザ装置は、第１のネットワーク側装置によって送信される設定情報を受信するように構成され、設定情報はリストを含み、リストはセルリストまたは基地局リストであり；また、設定情報に従って中間状態に入るように構成され、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する。このようにして、ＵＥのセルが変化するときは、セルハンドオーバが行われない。代わりに、ＵＥがコンテキスト情報を記憶するときに、セル再選択が行われ、ＵＥおよびネットワーク側のシグナリングオーバーヘッドを低減し、データ伝送遅延を短縮する。
【０２５０】
本発明の実施形態は、第１のネットワーク側装置１１０を提供する。図１１に示されるように、第１のネットワーク側装置１１０は、バス１１０１と、バス１１０１に接続されるトランスミッタ１１０３、レシーバ１１０４、プロセッサ１１０２、およびメモリ１１０５と、を含む。メモリ１１０５は、命令およびデータを記憶するように構成される。トランスミッタ１１０３は、ユーザ装置ＵＥへ設定情報を送信する命令を実行する。設定情報はリストを含む。リストは、セルリストまたは基地局リストである。設定情報は、ＵＥに中間状態に入るように命令するために使用され、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味する。トランスミッタ１１０３は、リスト内のネットワーク側装置へＵＥのコンテキスト情報をさらに送信する命令を実行する。
【０２５１】
本発明の本実施形態において、任意選択で、ＵＥが中間状態に入った後、ＵＥが移動し、かつセル移動範囲が、リストに含まれるセルまたは基地局のカバレッジ領域外にある場合に、ＵＥが、ＵＥの現在のサービングセルが配置されるネットワーク側装置へ通知メッセージを送信して、ＵＥが、中間状態から接続状態に復元されるか、またはアイドル状態に戻るようにする、ことを示すために、設定情報がさらに使用される。現在のサービングセルが配置されるネットワーク側装置は、第１のネットワーク側装置、またはＵＥがセル再選択を行った後の第２のネットワーク側装置である。
【０２５２】
本発明の本実施形態において、任意選択で、設定情報は、第１のネットワーク側装置が、ＵＥに、設定情報に従って中間状態に入るように命令する際の条件をさらに含み、条件は、直ちに中間状態に入ること、または予めセットした時間の後に中間状態に入ることを含み、および／または
設定情報は、第１のネットワーク側装置が、ＵＥに、設定情報に従って中間状態に入るように命令する期間、および／または、ＵＥが、期間中に設定情報に従って中間状態に入った後に、行われる動作命令をさらに含み、動作命令は、ＵＥにアイドル状態に入るように命令する、および／または、ＵＥに、第１のネットワーク側装置にＵＥの現在位置情報を通知するように命令する、ために使用される。
【０２５３】
本発明の本実施形態において、任意選択で、設定情報は、セル再選択をＵＥにより行うためのセル再選択パラメータをさらに含む。
【０２５４】
本発明の本実施形態において、任意選択で、トランスミッタ１１０３は、
無線リソース制御ＲＲＣメッセージを使用することにより、ＵＥへ設定情報を特に送信する命令を実行してよく、ＲＲＣメッセージは、ＲＲＣ再設定メッセージまたはＲＲＣ接続解放メッセージを含む。
【０２５５】
本発明の本実施形態において、任意選択で、トランスミッタ１１０３は、コアネットワーク装置へＵＥのコンテキスト情報をさらに送信する命令を実行してよい。
【０２５６】
プロセッサ１１０２は、第１のネットワーク側装置１１０が、予めセットした時間の間、ＵＥのコンテキスト情報を記憶するときに、ＵＥのコンテキスト情報を解放する命令を実行する。
【０２５７】
本発明の本実施形態において、任意選択で、レシーバ１１０４は、ＵＥによって送信されるＲＲＣ再開要求メッセージを受信する命令を実行する。再開要求メッセージは、第１のネットワーク側装置のセル情報、ＵＥのセル無線ネットワークテンポラリ識別Ｃ−ＲＮＴＩ、またはＵＥを接続状態に復元することを要求するための指示情報のうちの少なくとも１つを含む。
【０２５８】
トランスミッタ１１０３は、ＵＥへＲＲＣ再開確認メッセージをさらに送信する命令を実行してよい。ＲＲＣ再開確認メッセージは、第１のネットワーク側装置により、ＵＥのコンテキスト情報を拡張、削除、または修正するためのパラメータを含む。
【０２５９】
レシーバ１１０４は、ＵＥによって送信されるＲＲＣ接続再開完了メッセージをさらに受信する命令を実行してよい。
【０２６０】
本発明の本実施形態において、任意選択で、レシーバ１１０４は、ＵＥによって送信されるアップリンクスケジューリング要求またはランダムアクセス要求をさらに受信する命令を実行してよい。
【０２６１】
トランスミッタ１１０３は、ＵＥへアップリンクリソースをさらに送信する命令を実行してよい。アップリンクリソースは、第１のネットワーク側装置へアップリンクデータを送信するために、またはアップリンクリソースに従って第１のネットワーク側装置からダウンリンクデータを受信するために、ＵＥにより使用される。
【０２６２】
したがって、本発明の本実施形態は第１のネットワーク側装置を提供する。第１のネットワーク側装置は、ユーザ装置ＵＥへ設定情報を送信するように構成され、設定情報はリストを含み、リストはセルリストまたは基地局リストであり、設定情報は、ＵＥに中間状態に入るように命令するために使用され、中間状態とは、ＵＥがＵＥのコンテキスト情報を記憶しているとき、もしＵＥが移動し、かつセル移動範囲が、リストに含まれるセルまたは基地局のカバレッジ領域内にある場合に、ＵＥがリストに従ってセル再選択を行う状態を意味し；また、リスト内のネットワーク側装置へ、ＵＥのコンテキスト情報を送信するようにさらに構成される。このようにして、中間状態にあるＵＥのセルが変化する場合は、セルハンドオーバが行われない。代わりに、セル再選択プロセスが行われ、ＵＥおよびネットワーク側のシグナリングオーバーヘッドを低減し、データ伝送遅延を短縮する。
【０２６３】
本発明の実施形態は、第２のネットワーク側装置１２０を提供する。図１２に示されるように、第２のネットワーク側装置１２０は、
第１のネットワーク側装置によって送信される、中間状態にあるユーザ装置ＵＥの指示情報を受信するように構成される受信ユニット１２０１であって、中間状態とは、ＵＥがＵＥのコンテキスト情報を記憶しているとき、もしＵＥが移動し、かつセル移動範囲が、第１のネットワーク側装置によって送信されるリストに含まれるセルまたは基地局のカバレッジ領域内にある場合に、ＵＥがリストに従ってセル再選択を行う状態を意味する、受信ユニット１２０１と、
第１のネットワーク側装置からＵＥのコンテキスト情報を取得し、または、ＵＥによって送信される無線リソース制御ＲＲＣ再開要求メッセージが受信されるときに、第２のネットワーク側装置からＵＥのコンテキスト情報を取得して、ＵＥからアップリンクデータを受信、またはＵＥへダウンリンクデータを送信する、ように構成される取得ユニット１２０２と
を含む。
【０２６４】
第２のネットワーク側装置は、ＵＥがセル再選択を行った後に取得されるネットワーク側装置であって、セルが配置されるネットワーク側装置であり得る。
【０２６５】
任意選択で、受信ユニット１２０１は、第１のネットワーク側装置によって送信されるＵＥのコンテキスト情報を、受信および保存するようにさらに構成されてよい。
【０２６６】
任意選択で、取得ユニット１２０２は、
第２のネットワーク側装置が、ＵＥによって送信されるＲＲＣ再開要求メッセージを受信する前に、第２のネットワーク側装置が、ＵＥのコンテキスト情報をローカルに記憶しない場合に、第２のネットワーク側装置からＵＥのコンテキスト情報を取得するように特に構成されてよく、または
第２のネットワーク側装置が、ＵＥによって送信されるＲＲＣ再開要求メッセージを受信する前に、第２のネットワーク側装置が、ＵＥのコンテキスト情報をローカルに記憶しない場合に、第１のネットワーク側装置からＵＥのコンテキスト情報を取得するように特に構成されてよい。
【０２６７】
ＲＲＣ再開要求メッセージは、ＵＥが、中間状態から接続状態に復元されるときに、第２のネットワーク側装置へ送信されるために使用される。
【０２６８】
任意選択で、第２のネットワーク側装置１２０は、第２のネットワーク側装置が、コアネットワーク装置によって送信されるページングメッセージを受信して、ＵＥへ送信される必要があるダウンリンクデータがあると判定するとき、ＵＥへページングメッセージを送信し、第２のネットワーク側装置がＵＥへのＲＲＣ接続を確立した後に、ＵＥへ、コアネットワーク装置から受信されるダウンリンクデータを送信するように構成される送信ユニット１２０３、をさらに含む。
【０２６９】
あるいは、送信ユニット１２０３は、第１のネットワーク側装置によって送信されるページングメッセージが受信されて、ＵＥへ送信される必要があるダウンリンクデータがあると判定されるとき、ＵＥへページングメッセージを送信し、第２のネットワーク側装置がＵＥへのＲＲＣ接続を確立した後に、ＵＥへ、第１のネットワーク側装置から受信されるダウンリンクデータを送信するようにさらに構成される。
【０２７０】
本発明の本実施形態は、第２のネットワーク側装置を提供する。第２のネットワーク側装置は、第１のネットワーク側装置によって送信される、中間状態にあるＵＥの指示情報を受信する。したがって、ＵＥの現在のサービングセルが配置されるネットワーク側装置が、第２のネットワーク側装置であるとき、第２のネットワーク側装置は、ＵＥとの間でＵＥのコンテキスト情報を確立するプロセスを実行しなくてよい。代わりに、第２のネットワーク側装置は、ＵＥのコンテキスト情報を、第２のネットワーク側装置または第１のネットワーク側装置から直接取得し、ＵＥおよびネットワーク側のシグナリングオーバーヘッドを低減し、データ伝送遅延を短縮する。
【０２７１】
本発明の実施形態は、コアネットワーク装置１３０をさらに提供する。図１３に示されるように、コアネットワーク装置１３０は、
ユーザ装置ＵＥによって送信される、中間状態にあるＵＥの指示情報を受信するように構成される受信ユニット１３０１であって、中間状態とは、ＵＥがＵＥのコンテキスト情報を記憶しているとき、もしＵＥが移動し、かつセル移動範囲が、第１のネットワーク側装置によりＵＥへ送信されるリストに含まれるセルまたは基地局のカバレッジ領域内にある場合に、ＵＥがリストに従ってセル再選択を行う状態を意味する、受信ユニット１３０１と、
コアネットワーク装置が、ＵＥへダウンリンクデータを伝送する必要がある場合に、リスト内の少なくとも１つのネットワーク側装置へページングメッセージを送信して、少なくとも１つのネットワーク側装置における、かつＵＥに接続される、第１のネットワーク側装置または第２のネットワーク側装置を使用することにより、ＵＥへダウンリンクデータを送信するか、または、第１のネットワーク側装置へダウンリンクデータを送信して、第１のネットワーク側装置を使用することにより、ＵＥへダウンリンクデータを送信するか、または、リスト内の少なくとも１つのネットワーク側装置へダウンリンクデータをコアネットワーク装置により送信して、少なくとも１つのネットワーク側装置を使用することにより、ＵＥへダウンリンクデータを送信するように構成される送信ユニット１３０２と
を含む。
【０２７２】
任意選択で、受信ユニット１３０１は、第１のネットワーク側装置によって送信されるＵＥのコンテキスト情報を、受信および保存するようにさらに構成される。
【０２７３】
本発明の本実施形態は、コアネットワーク装置を提供する。コアネットワーク装置は、ユーザ装置ＵＥによって送信される、中間状態にあるＵＥの指示情報を受信する。このようにして、ＵＥへダウンリンクデータを伝送するとき、コアネットワーク装置は、リスト内のネットワーク側装置へページングメッセージを送信して、ページングメッセージを受信する、かつＵＥへのＲＲＣ接続を有するネットワーク側装置を使用することにより、ＵＥへダウンリンクデータを送信してよく、または、ダウンリンクデータを第１のネットワーク側装置へ直接送信して、第１のネットワーク側装置を使用することにより、ＵＥへダウンリンクデータを送信してよく、ＵＥおよびネットワーク側のシグナリングオーバーヘッドを低減し、データ伝送遅延を短縮する。
【０２７４】
本発明の実施形態は、第２のネットワーク側装置１４０を提供する。図１４に示されるように、第２のネットワーク側装置１４０は、バス１４０１と、バス１４０１に接続されるトランスミッタ１４０３、レシーバ１４０４、プロセッサ１４０２、およびメモリ１４０５と、を含む。メモリ１４０５は、命令およびデータを記憶するように構成される。レシーバ１４０４は、第１のネットワーク側装置によって送信される、中間状態にあるユーザ装置ＵＥの指示情報を受信する命令を実行する。中間状態とは、ＵＥがＵＥのコンテキスト情報を記憶しているとき、もしＵＥが移動し、かつセル移動範囲が、第１のネットワーク側装置によって送信されるリストに含まれるセルまたは基地局のカバレッジ領域内にある場合に、ＵＥがリストに従ってセル再選択を行う状態を意味する。プロセッサ１４０２は、第１のネットワーク側装置からＵＥのコンテキスト情報を取得し、または、レシーバがＵＥによって送信される無線リソース制御ＲＲＣ再開要求メッセージを受信するときに、第２のネットワーク側装置からＵＥのコンテキスト情報を取得して、ＵＥからアップリンクデータを受信、またはＵＥへダウンリンクデータを送信する、ように構成される。
【０２７５】
本発明の本実施形態において、任意選択で、レシーバ１４０４は、第１のネットワーク側装置によって送信されるＵＥのコンテキスト情報を、受信および保存するようにさらに構成される。
【０２７６】
本発明の本実施形態において、任意選択で、プロセッサ１４０２は、メモリ１４０５がＵＥのコンテキスト情報を記憶する場合に、レシーバ１４０４がＵＥによって送信される無線リソース制御ＲＲＣ再開要求メッセージを受信するとき、メモリ１４０５からＵＥのコンテキスト情報を取得するように特に構成され、または
レシーバ１４０４が、ＵＥによって送信されるＲＲＣ再開要求メッセージを受信する前に、メモリ１４０５がＵＥのコンテキスト情報を記憶しない場合に、第１のネットワーク側装置からＵＥのコンテキスト情報を取得するように特に構成される。
【０２７７】
ＲＲＣ再開要求メッセージは、ＵＥが、中間状態から接続状態に復元されるときに、第２のネットワーク側装置へ送信されるために使用される。
【０２７８】
本発明の本実施形態において、任意選択で、トランスミッタ１４０３は、第２のネットワーク側装置が、コアネットワーク装置によって送信されるページングメッセージを受信して、ＵＥへ送信される必要があるダウンリンクデータがあると判定するとき、ＵＥへページングメッセージを送信し、第２のネットワーク側装置がＵＥへのＲＲＣ接続を確立した後に、ＵＥへ、コアネットワーク装置から受信されるダウンリンクデータを送信するように構成され、または
トランスミッタ１４０３は、第１のネットワーク側装置によって送信されるページングメッセージが受信されて、ＵＥへ送信される必要があるダウンリンクデータがあると判定されるとき、ＵＥへページングメッセージを送信し、第２のネットワーク側装置がＵＥへのＲＲＣ接続を確立した後に、ＵＥへ、第１のネットワーク側装置から受信されるダウンリンクデータを送信するように構成される。
【０２７９】
本発明の本実施形態は、第２のネットワーク側装置を提供する。第２のネットワーク側装置は、第１のネットワーク側装置によって送信される、中間状態にあるＵＥの指示情報を受信する。したがって、ＵＥの現在のサービングセルが配置されるネットワーク側装置が、第２のネットワーク側装置であるとき、第２のネットワーク側装置は、ＵＥとの間でＵＥのコンテキスト情報を確立するプロセスを実行しなくてよい。代わりに、第２のネットワーク側装置は、ＵＥのコンテキスト情報を、第２のネットワーク側装置または第１のネットワーク側装置から直接取得し、ＵＥおよびネットワーク側のシグナリングオーバーヘッドを低減し、データ伝送遅延を短縮する。
【０２８０】
本発明の実施形態は、コアネットワーク装置１５０を提供する。図１５に示されるように、コアネットワーク側装置１５０は、バス１５０１と、バス１５０１に接続されるトランスミッタ１５０３、レシーバ１５０４、プロセッサ１５０２、およびメモリ１５０５と、を含む。メモリ１５０５は、命令およびデータを記憶するように構成される。レシーバ１５０４は、ユーザ装置ＵＥによって送信される、中間状態にあるＵＥの指示情報を受信するように構成される。中間状態とは、ＵＥがＵＥのコンテキスト情報を記憶しているとき、もしＵＥが移動し、かつセル移動範囲が、第１のネットワーク側装置によりＵＥへ送信されるリストに含まれるセルまたは基地局のカバレッジ領域内にある場合に、ＵＥがリストに従ってセル再選択を行う状態を意味する。
【０２８１】
トランスミッタ１５０３は、コアネットワーク装置が、ＵＥへダウンリンクデータを伝送する必要がある場合に、リスト内の少なくとも１つのネットワーク側装置へページングメッセージを送信して、少なくとも１つのネットワーク側装置における、かつＵＥに接続される、第１のネットワーク側装置または第２のネットワーク側装置を使用することにより、ＵＥへダウンリンクデータを送信するか、または、第１のネットワーク側装置へダウンリンクデータを送信して、第１のネットワーク側装置を使用することにより、ＵＥへダウンリンクデータを送信するか、または、リスト内の少なくとも１つのネットワーク側装置へダウンリンクデータを送信して、少なくとも１つのネットワーク側装置を使用することにより、ＵＥへダウンリンクデータを送信するように構成される。
【０２８２】
任意選択で、レシーバ１５０４は、第１のネットワーク側装置によって送信されるＵＥのコンテキスト情報を、受信および保存するようにさらに構成される。
【０２８３】
本発明の本実施形態は、コアネットワーク装置を提供する。コアネットワーク装置は、ユーザ装置ＵＥによって送信される、中間状態にあるＵＥの指示情報を受信する。このようにして、ＵＥへダウンリンクデータを伝送するとき、コアネットワーク装置は、リスト内のネットワーク側装置へページングメッセージを送信して、ページングメッセージを受信する、かつＵＥへのＲＲＣ接続を有するネットワーク側装置を使用することにより、ＵＥへダウンリンクデータを送信してよく、または、ダウンリンクデータを第１のネットワーク側装置へ直接送信して、第１のネットワーク側装置を使用することにより、ＵＥへダウンリンクデータを送信してよく、ＵＥおよびネットワーク側のシグナリングオーバーヘッドを低減し、データ伝送遅延を短縮する。
【０２８４】
本願において提供されるいくつかの実施形態において、開示される装置および方法が、他の様式で実装されてよい、ことは理解されるべきである。例えば、説明された装置実施形態は、単なる例である。例えば、ユニットの区分は、単に論理的機能の区分であり、実際の実装においては、他の区分であってよい。例えば、複数のユニットまたはコンポーネントは、別のシステムに組み合わせもしくは統合されてよく、または、いくつかの特徴が無視されてもよいし、実行されなくてもよい。加えて、表示または検討される、相互結合もしくは直接結合または通信接続は、いくつかのインターフェース、装置もしくはユニット間の間接的結合または通信接続、または、電気的接続、機械的接続、もしくは他の形式の接続、を介して実装され得る。
【０２８５】
加えて、本発明の実施形態において、装置およびシステムにおける機能ユニットは、１つの処理ユニットに統合されてよく、または、ユニットのそれぞれが物理的に単独で存在してよく、もしくは、２つ以上のユニットが１つのユニットに統合されてよい。ユニットは、ハードウェアの形式で実装されてよく、または、ソフトウェア機能的ユニットにハードウェアを加えた形式で実装されてよい。
【０２８６】
方法の実施形態のステップのうちの全てまたはいくつかを、関連ハードウェアに命令するプログラムによって実装され得る。プログラムは、コンピュータ可読記憶媒体内に記憶されてよい。プログラムが稼働すると、方法の実施形態のステップが実行される。前述の記憶媒体は、プログラムコードを記憶することができる任意の媒体、例えば、ＵＳＢフラッシュドライブ、着脱可能ハードディスク、リードオンリーメモリ（Ｒｅａｄ  Ｏｎｌｙ  Ｍｅｍｏｒｙ、略してＲＯＭ）、ランダムアクセスメモリ（Ｒａｎｄｏｍ  Ａｃｃｅｓｓ  Ｍｅｍｏｒｙ、略してＲＡＭ）、磁気ディスク、または、光ディスク、などを含む。
【０２８７】
前述の説明は、単に、本発明の特定の実装であり、本発明の保護範囲を制限することは意図されない。本発明において開示される技術範囲内で、当業者により容易に考え出される任意の変形または置き換えは、本発明の保護範囲内にあるものとする。したがって、本発明の保護範囲は、請求項の保護範囲の対象となるものとする。
【図１】
0006637056.tif 000003
【図２】
0006637056.tif 000004
【図３】
0006637056.tif 000005
【図４】
0006637056.tif 000006
【図５】
0006637056.tif 000007
【図６】
0006637056.tif 000008
【図７ａ−１】
0006637056.tif 000009
【図７ａ−２】
0006637056.tif 000010
【図７ｂ】
0006637056.tif 000011
【図８】
0006637056.tif 000012
【図９】
0006637056.tif 000013
【図１０】
0006637056.tif 000014
【図１１】
0006637056.tif 000015
【図１２】
0006637056.tif 000016
【図１３】
0006637056.tif 000017
【図１４】
0006637056.tif 000018
【図１５】
0006637056.tif 000019